(57)【特許請求の範囲】
【請求項１】
高移動性の無線通信デバイスとの通信を可能にするための基地局であって、
プロセッサと、
前記プロセッサと電子通信しているメモリと、
前記メモリにおいて格納された命令と、
を備え、前記命令は、
高移動性の無線通信デバイスを識別することと、
基準信号構成を送信することと、
前記高移動性の無線通信デバイスを識別することに応答して、追加特有基準信号を割り付けることと、ここにおいて、追加特有基準信号を割り付けることは、基準信号の時間密度を増大させ、前記基準信号構成は、単一周波数ネットワーク上のマルチメディアブロードキャスト（ＭＢＳＦＮ）サブフレームと非ＭＢＳＦＮサブフレームとの間で区別する、および
前記高移動性の無線通信デバイスへ前記追加特有基準信号を送信することと、
が実行可能である、
基地局。
【請求項２】
追加特有基準信号を割り付けることは、
ベースライン特有基準信号を使用することと、
前記ベースライン特有基準信号を含んでいないエレメントにおいて追加特有基準信号を追加することと、
を備える、請求項１に記載の基地局。
【請求項３】
追加特有基準信号を割り付けることは、共通の基準信号のために使用されるエレメントにおいて前記追加特有基準信号を追加することをさらに備える、請求項１に記載の基地局。
【請求項４】
追加特有基準信号を割り付けることは、ベースライン特有基準信号のために使用されるエレメントにおいて前記追加特有基準信号を追加することをさらに備える、請求項１に記載の基地局。
【請求項５】
追加特有基準信号を割り付けることは、ベースライン特有基準信号のために使用されるのと同じプレコーディングを前記追加特有基準信号に適用することを備える、請求項１に記載の基地局。
【請求項６】
追加特有基準信号を割り付けることは、ベースライン特有基準信号の場合と同じスクランブリングシーケンスを適用することを備える、請求項１に記載の基地局。
【請求項７】
追加特有基準信号を割り付けることは、ベースライン特有基準信号の場合とは異なるスクランブリングシーケンスを適用することを備える、請求項１に記載の基地局。
【請求項８】
追加特有基準信号を割り付けることは、ベースライン特有基準信号の場合と同じマッピングメカニズムを適用することを備える、請求項１に記載の基地局。
【請求項９】
追加特有基準信号を割り付けることは、ベースライン特有基準信号の場合とは異なるマッピングメカニズムを適用することを備える、請求項１に記載の基地局。
【請求項１０】
追加特有基準信号を割り付けることは、前記追加特有基準信号のまわりの送信レートマッチングを適用することを備える、請求項１に記載の基地局。
【請求項１１】
追加特有基準信号を割り付けることは、パンクチャリングを適用することを備える、請求項１に記載の基地局。
【請求項１２】
基準信号構成を送信することは、層３制限されたランク送信を使用して前記基準信号構成を送信することを備える、請求項１に記載の基地局。
【請求項１３】
前記層３制限されたランク送信は、個別に構成される、または、コードブックサブセット制約メカニズムを使用する、請求項１２に記載の基地局。
【請求項１４】
基準信号構成を送信することは、明示的な層３シグナリングを使用して前記基準信号構成を送信することを備える、請求項１に記載の基地局。
【請求項１５】
基準信号構成を送信することは、明示的な物理ダウンリンク制御チャネル（ＰＤＣＣＨ）シグナリングを使用して前記基準信号構成を送信することを備える、請求項１に記載の基地局。
【請求項１６】
基準信号構成を送信することは、黙示的な物理ダウンリンク制御チャネル（ＰＤＣＣＨ）シグナリングを使用して前記基準信号構成を送信することを備える、請求項１に記載の基地局。
【請求項１７】
前記基地局はノードＢである、請求項１に記載の基地局。
【請求項１８】
前記特有基準信号は、ユーザ機器特有基準信号（ＵＥ−ＲＳ）である、請求項１に記載の基地局。
【請求項１９】
前記追加特有基準信号は、ベースライン特有基準信号の追加である、請求項１に記載の基地局。
【請求項２０】
基準シグナリングを使用するための無線通信デバイスであって、
プロセッサと、
前記プロセッサと電子通信しているメモリと、
前記メモリにおいて格納された命令と、
を備え、前記命令は、
基準信号構成を受信することと、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
追加特有基準信号を受信することと、
前記追加特有基準信号を処理することと、ここにおいて、前記追加特有基準信号を処理することは、基準信号の時間密度を増大させる、
前記追加特有基準信号に基づいて情報を送信することと、
が実行可能である、
無線通信デバイス。
【請求項２１】
前記命令はさらに、前記無線通信デバイスが高移動性の無線通信デバイスである場合には、高移動性のインジケータを送信することが実行可能である、請求項２０に記載の無線通信デバイス。
【請求項２２】
基準信号構成を受信することは、層３制限されたランク送信を使用して、前記基準信号構成を受信することを備える、請求項２０に記載の無線通信デバイス。
【請求項２３】
前記層３制限されたランク送信は、個別に構成される、または、コードブックサブセット制約メカニズムを使用する、請求項２２に記載の無線通信デバイス。
【請求項２４】
基準信号構成を受信することは、明示的な層３シグナリングを使用して、前記基準信号構成を受信することを備える、請求項２０に記載の無線通信デバイス。
【請求項２５】
基準信号構成を受信することは、明示的な物理ダウンリンク制御チャネル（ＰＤＣＣＨ）シグナリングを使用して前記基準信号構成を受信することを備える、請求項２０に記載の無線通信デバイス。
【請求項２６】
基準信号構成を受信することは、黙示的な物理ダウンリンク制御チャネル（ＰＤＣＣＨ）シグナリングを使用して前記基準信号構成を受信することを備える、請求項２０に記載の無線通信デバイス。
【請求項２７】
前記追加特有基準信号を処理することは、前記追加特有基準信号に基づいてフィードバックを生成することを備える、請求項２０に記載の無線通信デバイス。
【請求項２８】
前記無線通信デバイスはユーザ機器（ＵＥ）である、請求項２０に記載の無線通信デバイス。
【請求項２９】
前記特有基準信号は、ユーザ機器特有基準信号（ＵＥ−ＲＳ）である、請求項２０に記載の無線通信デバイス。
【請求項３０】
前記追加特有基準信号は、ベースライン特有基準信号の追加である、請求項２０に記載の無線通信デバイス。
【請求項３１】
高移動性の無線通信デバイスとの通信を可能にするための方法であって、
基地局によって、高移動性の無線通信デバイスを識別することと、
基準信号構成を送信することと、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
前記高移動性の無線通信デバイスを識別することに応答して、前記基地局によって、追加特有基準信号を割り付けることと、ここにおいて、追加特有基準信号を割り付けることは、基準信号の時間密度を増大させる、
前記基地局から、前記高移動性の無線通信デバイスへ前記追加特有基準信号を送信することと、
を備える方法。
【請求項３２】
追加特有基準信号を割り付けることは、
ベースライン特有基準信号を使用することと、
前記ベースライン特有基準信号を含んでいないエレメントにおいて追加特有基準信号を追加することと、
を備える請求項３１に記載の方法。
【請求項３３】
追加特有基準信号を割り付けることは、共通の基準信号のために使用されるエレメントにおいて前記追加特有基準信号を追加することをさらに備える、請求項３１に記載の方法。
【請求項３４】
追加特有基準信号を割り付けることは、ベースライン特有基準信号のために使用されるエレメントにおいて前記追加特有基準信号を追加することをさらに備える、請求項３１に記載の方法。
【請求項３５】
追加特有基準信号を割り付けることは、ベースライン特有基準信号のために使用されるのと同じプレコーディングを前記追加特有基準信号に適用することを備える、請求項３１に記載の方法。
【請求項３６】
追加特有基準信号を割り付けることは、ベースライン特有基準信号の場合と同じスクランブリングシーケンスを適用することを備える、請求項３１に記載の方法。
【請求項３７】
追加特有基準信号を割り付けることは、ベースライン特有基準信号の場合とは異なるスクランブリングシーケンスを適用することを備える、請求項３１に記載の方法。
【請求項３８】
追加特有基準信号を割り付けることは、ベースライン特有基準信号の場合と同じマッピングメカニズムを適用することを備える、請求項３１に記載の方法。
【請求項３９】
追加特有基準信号を割り付けることは、ベースライン特有基準信号の場合とは異なるマッピングメカニズムを適用することを備える、請求項３１に記載の方法。
【請求項４０】
追加特有基準信号を割り付けることは、前記追加特有基準信号のまわりの送信レートマッチングを適用することを備える、請求項３１に記載の方法。
【請求項４１】
追加特有基準信号を割り付けることは、パンクチャリングを適用することを備える、請求項３１に記載の方法。
【請求項４２】
基準信号構成を送信することは、層３制限されたランク送信を使用して前記基準信号構成を送信することを備える、請求項３１に記載の方法。
【請求項４３】
前記層３制限されたランク送信は、個別に構成される、または、コードブックサブセット制約メカニズムを使用する、請求項４２に記載の方法。
【請求項４４】
基準信号構成を送信することは、明示的な層３シグナリングを使用して前記基準信号構成を送信することを備える、請求項３１に記載の方法。
【請求項４５】
基準信号構成を送信することは、明示的な物理ダウンリンク制御チャネル（ＰＤＣＣＨ）シグナリングを使用して前記基準信号構成を送信することを備える、請求項３１に記載の方法。
【請求項４６】
基準信号構成を送信することは、黙示的な物理ダウンリンク制御チャネル（ＰＤＣＣＨ）シグナリングを使用して前記基準信号構成を送信することを備える、請求項３１に記載の方法。
【請求項４７】
前記基地局はノードＢである、請求項３１に記載の方法。
【請求項４８】
前記特有基準信号は、ユーザ機器特有基準信号（ＵＥ−ＲＳ）である、請求項３１に記載の方法。
【請求項４９】
前記追加特有基準信号は、ベースライン特有基準信号の追加である、請求項３１に記載の方法。
【請求項５０】
基準シグナリングを使用するための方法であって、
基準信号構成を受信することと、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
無線通信デバイス上で、追加特有基準信号を受信すること、
前記無線通信デバイス上で、前記追加特有基準信号を処理することと、ここにおいて、追加特有基準信号を処理することは、基準信号の時間密度を増大させる、
前記追加特有基準信号に基づいて情報を送信することと、
を備える方法。
【請求項５１】
前記無線通信デバイスが高移動性の無線通信デバイスである場合、高移動性のインジケータを送信すること、をさらに備える、請求項５０に記載の方法。
【請求項５２】
基準信号構成を受信することは、層３制限されたランク送信を使用して、前記基準信号構成を受信することを備える、請求項５０に記載の方法。
【請求項５３】
前記層３制限されたランク送信は、個別に構成される、または、コードブックサブセット制約メカニズムを使用する、請求項５２に記載の方法。
【請求項５４】
基準信号構成を受信することは、明示的な層３シグナリングを使用して、前記基準信号構成を受信することを備える、請求項５０に記載の方法。
【請求項５５】
基準信号構成を受信することは、明示的な物理ダウンリンク制御チャネル（ＰＤＣＣＨ）シグナリングを使用して前記基準信号構成を受信することを備える、請求項５０に記載の方法。
【請求項５６】
基準信号構成を受信することは、黙示的な物理ダウンリンク制御チャネル（ＰＤＣＣＨ）シグナリングを使用して前記基準信号構成を受信することを備える、請求項５０に記載の方法。
【請求項５７】
前記追加特有基準信号を処理することは、前記追加特有基準信号に基づいてフィードバックを生成することを備える、請求項５０に記載の方法。
【請求項５８】
前記無線通信デバイスはユーザ機器（ＵＥ）である、請求項５０に記載の方法。
【請求項５９】
前記特有基準信号は、ユーザ機器特有基準信号（ＵＥ−ＲＳ）である、請求項５０に記載の方法。
【請求項６０】
前記追加特有基準信号は、ベースライン特有基準信号の追加である、請求項５０に記載の方法。
【請求項６１】
命令を有するコンピュータ可読記憶媒体であって、前記命令は、
基地局に高移動性の無線通信デバイスを識別させるためのコードと、
前記基地局に基準信号構成を送信させるためのコードと、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
前記高移動性の無線通信デバイスを識別することに応答して、前記基地局に追加特有基準信号を割り付けさせるためのコードと、ここにおいて、追加特有基準信号を割り付けることは、基準信号の時間密度を増大させる、および
前記基地局に前記高移動性の無線通信デバイスへ前記追加特有基準信号を送信させるためのコードと、
を備える、コンピュータ可読記憶媒体。
【請求項６２】
前記特有基準信号は、ユーザ機器特有基準信号（ＵＥ−ＲＳ）である、請求項６１に記載のコンピュータ可読記憶媒体。
【請求項６３】
前記追加特有基準信号は、ベースライン特有基準信号の追加である、請求項６１に記載のコンピュータ可読記憶媒体。
【請求項６４】
命令を有するコンピュータ可読記憶媒体であって、前記命令は、
無線通信デバイスに基準信号構成を受信させるためのコードと、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
前記無線通信デバイスに追加特有基準信号を受信させるためのコードと、
前記無線通信デバイスに前記追加特有基準信号を処理させるためのコードと、ここにおいて、追加特有基準信号を処理することは、基準信号の時間密度を増大させる、
前記無線通信デバイスに前記追加特有基準信号に基づいて情報を送信させるためのコードと、
を備える、コンピュータ可読記憶媒体。
【請求項６５】
前記特有基準信号は、ユーザ機器特有基準信号（ＵＥ−ＲＳ）である、請求項６４に記載のコンピュータ可読記憶媒体。
【請求項６６】
前記追加特有基準信号は、ベースライン特有基準信号の追加である、請求項６４に記載のコンピュータ可読記憶媒体。
【請求項６７】
高移動性の無線通信デバイスとの通信を可能にするための装置であって、
高移動性の無線通信デバイスを識別するための手段と、
基準信号構成を送信するための手段と、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
前記高移動性の無線通信デバイスを識別することに応答して、追加特有基準信号を割り付けるための手段と、ここにおいて、追加特有基準信号を割り付けることは、基準信号の時間密度を増大させる、および
前記高移動性の無線通信デバイスへ前記追加特有基準信号を送信するための手段と、
を備える装置。
【請求項６８】
前記特有基準信号は、ユーザ機器特有基準信号（ＵＥ−ＲＳ）である、請求項６７に記載の装置。
【請求項６９】
前記追加特有基準信号は、ベースライン特有基準信号の追加である、請求項６７に記載の装置。
【請求項７０】
基準シグナリングを使用するための装置であって、
基準信号構成を受信するための手段と、ここにおいて、前記基準信号構成は、単一周波数ネットワーク上のマルチメディアブロードキャスト（ＭＢＳＦＮ）サブフレームと非ＭＢＳＦＮサブフレームとの間で区別する、
追加特有基準信号を受信するための手段と、
前記追加特有基準信号を処理するための手段と、ここにおいて、追加特有基準信号を割り付けることは、基準信号の時間密度を増大させる、
前記追加特有基準信号に基づいて情報を送信するための手段と、
を備える装置。
【請求項７１】
前記特有基準信号は、ユーザ機器特有基準信号（ＵＥ−ＲＳ）である、請求項７０に記載の装置。
【請求項７２】
前記追加特有基準信号は、ベースライン特有基準信号の追加である、請求項７０に記載の装置。
【発明の詳細な説明】
【技術分野】
【０００１】
［関連出願］
本願は、「ENHANCED UE-RS DESIGN FOR HIGH MOBILITY UEs IN LTE-A」について２００９年１１月９日に出願された米国仮特許出願番号第６１／２５９，５６１号に関連し、その優先権を主張する。
【０００２】
［技術分野］
本開示は、一般的には電子通信に関する。より具体的には、本開示は、高移動性の無線通信デバイス(high-mobility wireless communication device)のための基準シグナリング(reference signaling)に関する。
【背景技術】
【０００３】
［背景］
ここ数十年で、電信デバイスの使用が一般的となった。具体的には、電子技術の発展は、ますます複雑化し有用である電子デバイスのコストを削減してきた。コスト削減と消費者の需要は、近代社会において電子デバイスが実質的にユビキタスであるように、電子デバイスの使用を急速に増やした。電子デバイスの使用が拡大してくるにつれ、電子デバイスの新しく改善された特徴に関する需要もまた拡大してきた。より具体的には、より早く、より効率的に、またはより高い品質で機能を実行する電子デバイスが、多くの場合、求められている。
【０００４】
いくつかの電子デバイス（例、セルラ電話、スマートフォン、コンピュータ等）は、他の電子デバイスと通信する。例えば、無線通信デバイス（例、セルラ電話、スマートフォン等）は、基地局と無線で通信することができ、逆もまた然りである。このことは、無線通信デバイスが、音声、ビデオ、データ等にアクセスおよび／またはそれらを通信することを可能にすることができる。
【０００５】
いくつかの無線通信デバイスはフィードバックを使用して、通信品質を改善する。例えば、セルラ電話は、基地局へ、受信した基準信号に基づいて、フィードバックを送信することができ、そしてそれは、基地局がリンク品質を改善するために使用することができる測定値を示す。しかしながら、無線通信デバイスは、いくつかの状況において基地局に対して高速で移動する場合がある。これらの状況では、一般的な基準シグナリングは、リンク品質を保持するのに十分でない場合がある。この説明から分かるように、基準シグナリングを改善するシステムおよび方法が有益である。
【発明の概要】
【０００６】
高移動性の無線通信デバイスとの通信を可能にするための基地局が開示されている。基地局は、プロセッサとメモリにおいて格納された命令とを含む。基地局は、高移動性の無線通信デバイスを識別する。基地局はまた、基準信号構成(reference signal configuration)を送信する。更に、基地局は追加特有基準信号(additional specific reference signal)を割り付ける。基地局はさらに、高移動性の無線通信デバイスへ追加特有基準信号を送信する。基地局はノードＢでありうる。特有基準信号はユーザ機器特有基準信号（ＵＥ−ＲＳ;User Equipment specific Reference Signal）でありうる。追加特有基準信号は、ベースライン特有基準信号(baseline specific reference signal)の追加でありうる。
【０００７】
追加特有基準信号を割り付けることはベースライン特有基準信号を使用することを含めうる。追加特有基準信号を割り付けることはまた、ベースライン特有基準信号を含まないエレメントにおいて追加特有基準信号を追加することを含めうる。追加特有基準信号を割り付けることは、共通の基準信号のために使用されたエレメントにおいて追加特有基準信号を追加することを含めうる。追加特有基準信号を割り付けることは、ベースライン特有基準信号のために使用されたエレメントにおいて追加特有基準信号を追加することを含めうる。
【０００８】
追加特有基準信号を割り付けることは、ベースライン特有基準信号のために使用されるのと同じプレコーディング(precoding)を追加特有基準信号に適用することを含めうる。追加特有基準信号を割り付けることは、ベースライン特有基準信号の場合と同じスクランブリングシーケンス(scrambling sequence)を適用することを含めうる。追加特有基準信号を割り付けることは、ベースライン特有基準信号の場合とは異なるスクランブリングシーケンスを適用することを含めうる。追加特有基準信号を割り付けることは、ベースライン特有基準信号の場合と同じマッピングメカニズム(mapping mechanism)を適用することを含めうる。
【０００９】
追加特有基準信号を割り付けることは、ベースライン特有基準信号の場合とは異なるマッピングメカニズムを適用することを含めうる。追加特有基準信号を割り付けることは、追加特有基準信号のまわりの送信レートマッチング(transmission rate matching around the additional specific reference signal)を適用することを含めうる。追加特有基準信号を割り付けることはパンクチャリング(puncturing)を適用することを含めうる。
【００１０】
基準信号構成を送信することは、層３制限されたランク送信(layer-3 limited rank transmission)を使用して、基準信号構成を送信することを含めうる。層３制限されたランク送信は個別に構成されうる、または、コードブックサブセット制約メカニズム（codebook subset restriction mechanism）を使用する。基準信号構成を送信することは、明示的な層３シグナリング(layer-3 signaling)を使用して、基準信号構成を送信することを含めうる。基準信号構成を送信することは、明示的な物理ダウンリンク制御チャネル（ＰＤＣＣＨ）シグナリングを使用して、基準信号構成を送信することを含めうる。基準信号構成を送信することは、黙示的な物理ダウンリンク制御チャネル（ＰＤＣＣＨ）シグナリング（implicit Physical Downlink Control Channel signaling）を使用して、基準信号構成を送信することを含めうる。基準信号構成は単一周波数ネットワーク上のマルチメディアブロードキャスト（ＭＢＳＦＮ）サブフレームと非ＭＢＳＦＮサブフレーム(non-MBSFN subframe)との間で区別することができる。
【００１１】
基準シグナリングを使用するための無線通信デバイスもまた開示されている。無線通信デバイスはプロセッサとメモリにおいて格納された命令を含む。無線通信デバイスは、基準信号構成を受信する。無線通信デバイスはまた、追加特有基準信号を受信する。更に、無線通信デバイスは追加特有基準信号を処理する。無線通信デバイスはまた、追加特有基準信号に基づいて、情報を送信する。追加特有基準信号を処理することは、追加特有基準信号に基づいてフィードバックを生成することを含めうる。無線通信デバイスは、ユーザ機器（ＵＥ）でありうる。特有基準信号はユーザ機器特有基準信号（ＵＥ−ＲＳ）でありうる。追加特有基準信号は、ベースライン特有基準信号の追加でありうる。
【００１２】
無線通信デバイスはまた、無線通信デバイスが高移動性の無線通信デバイスであるかを決定しうる。無線通信デバイスはまた、無線通信デバイスが高移動性の無線通信デバイスである場合には、高移動性のインジケータを送信しうる。
【００１３】
基準信号構成を受信することは、層３制限されたランク送信を使用して、基準信号構成を受信することを含めうる。層３制限されたランク送信は個別に構成されうる、または、コードブックサブセット制約メカニズムを使用しうる。基準信号構成を受信することは、明示的な層３シグナリングを使用して、基準信号構成を受信することを含めうる。基準信号構成を受信することは、明示的な物理ダウンリンク制御チャネル（ＰＤＣＣＨ）シグナリングを使用して、基準信号構成を受信することを含めうる。基準信号構成を受信することは、黙示的な物理ダウンリンク制御チャネル（ＰＤＣＣＨ）シグナリングを使用して、基準信号構成を受信することを含めうる。基準信号構成は単一周波数ネットワーク上のマルチメディアブロードキャスト（ＭＢＳＦＮ）サブフレームと非ＭＢＳＦＮサブフレームとの間で区別することができる。
【００１４】
高移動性の無線通信デバイスとの通信を可能にするための方法もまた開示されている。方法は、基地局によって、高移動性の無線通信デバイスを識別することを含む。方法はまた、基準信号構成を送信することを含む。方法は、基地局によって、追加特有基準信号を割り付けることをさらに含む。方法はまた、基地局から、高移動性の無線通信デバイスへ追加特有基準信号を送信することを含む。
【００１５】
基準シグナリングを使用するための方法もまた開示されている。方法は、基準信号構成を受信することを含む。方法はまた、無線通信デバイス上で、追加特有基準信号上で受信することを含む。方法は、さらに、無線通信デバイス上で、追加特有基準信号を処理することを含む。方法はまた、追加特有基準信号に基づいて情報を送信することを含む。
【００１６】
高移動性の無線通信デバイスとの通信を可能にするためのコンピュータプログラムプロダクトもまた開示されている。コンピュータプログラムプロダクトは、命令を備えた非一時的なタンジブル(tangible)コンピュータ可読媒体を含む。命令は、基地局に高移動性の無線通信デバイスを識別させるためのコードを含む。命令はまた、基地局に基準信号構成を送信させるためのコードを含む。命令は、さらに、基地局に追加特有基準信号を割り付けさせるためのコードを含む。さらに、命令は、基地局に、高移動性の無線通信デバイスへ追加特有基準信号を送信させるためのコードを含む。
【００１７】
基準シグナリングを使用するためのコンピュータプログラムプロダクトもまた開示されている。コンピュータプログラムプロダクトは、命令を備える非一時的なタンジブルコンピュータ可読媒体を含む。命令は、無線通信デバイスに基準信号構成を受信させるためのコードを含む。命令はまた、無線通信デバイスに追加特有基準信号を受信させるためのコードを含む。命令はさらに、無線通信デバイスに追加特有基準信号を処理させるためのコードを含む。さらに、命令は、無線通信デバイスに追加特有基準信号に基づいて情報を送信させるためのコードを含む。
【００１８】
高移動性の無線通信デバイスとの通信を可能にするための装置もまた開示されている。装置は、高移動性の無線通信デバイスを識別するための手段を含む。装置はさらに、基準信号構成を送信するための手段を含む。装置はまた、追加特有基準信号を割り付けるための手段を含む。さらに、装置は、高移動性の無線通信デバイスへ追加特有基準信号を送信するための手段を含む。
【００１９】
基準シグナリングを使用するための装置もまた開示されている。装置は、基準信号構成を受信するための手段を含む。装置はさらに、追加特有基準信号を受信するための手段を含む。装置はまた、追加特有基準信号を処理するための手段を含む。さらに、装置は、追加特有基準信号に基づいて情報を送信するための手段を含む。
【図面の簡単な説明】
【００２０】
【図１】図１は、高移動性の無線通信デバイスのための基準シグナリングのためのシステムおよび方法が実装されうる、基地局と無線通信デバイスの一構成を図示するブロック図である。
【図２】図２は、高移動性の無線通信デバイスのための基準シグナリングのためのシステムおよび方法が実装されうるノードＢと１つまたは複数のユーザ機器（ＵＥ）の一構成を図示するブロック図である。
【図３】図３は、高移動性の無線通信デバイスのための基準シグナリングのための方法の一構成を図示するフロー図である。
【図４】図４は、高移動性の無線通信デバイスのための基準シグナリングを使用するための方法の一構成を図示するフロー図である。
【図５】図５は、追加特有基準信号を有さないサブフレームの一例を図示する図である。
【図６】図６は、追加特有基準信号を有するサブフレームを図示する図である。
【図７】図７は、高移動性の無線通信デバイスのための追加特有基準信号を割り付けるための方法の一構成を図示するフロー図である。
【図８】図８は、高移動性の無線通信デバイスのための基準シグナリングのための方法のより具体的な構成を図示するフロー図である。
【図９】図９は、高移動性の無線通信デバイスのための基準シグナリングを使用するための方法の一構成を図示するフロー図である。
【図１０】図１０はサブフレームの別の例を図示する図である。
【図１１】図１１はサブフレームの別の例を図示する図である。
【図１２】図１２は、多入力多出力（ＭＩＭＯ）システムにおける送信機と受信機のブロック図である。
【図１３】図１３は、基地局内に含まれうるあるコンポーネントを図示する。
【図１４】図１４は、無線通信デバイス内に含まれうるあるコンポーネントを図示する。
【詳細な説明】
【００２１】
ここで開示されるシステムおよび方法は、第３代パートナーシッププロジェクト（３ＧＰＰ）リリース８（Ｒｅｌ−８）、３ＧＰＰリリース９（Ｒｅｌ−９）、３ＧＰＰリリース−１０（Ｒｅｌ−１０）、ロングタームエボリューション（ＬＴＥ）、ＬＴＥアドバンスド（ＬＴＥ−Ａ）等のような１つまたは複数の仕様から説明されうる、ということに留意されるべきである。しかしながら、ここで説明されるコンセプトの少なくともいくつかは、他の無線通信システムに適用されうる。例えば、用語ユーザ機器（ＵＥ）は、より一般的な用語「無線通信デバイス」を指すように使用されうる。更に、用語ノードＢ、発展型ノードＢ（ｅＮＢ）、ホーム発展型ノードＢ（ＨｅＮＢ）等の１つまたは複数は、より一般的な用語「基地局」を指すように使用されうる。
【００２２】
ここで使用されるように、用語「基地局」は、一般的には、通信ネットワークへのアクセスを提供することができる通信デバイスを表す。通信ネットワークの例は、限定されていないが、電話ネットワーク（例、公衆交換電話ネットワーク（ＰＳＴＮ）またはセルラ電話ネットワークのような「有線」ネットワーク）、インターネット、ローカルエリアネットワーク（ＬＡＮ）、広域ネットワーク（ＷＡＮ）、首都圏ネットワーク（ＭＡＮ）等を含む。基地局の例は、例えば、セルラ電話基地局またはノード、アクセスポイント、無線ゲートウェイ、および無線ルータを含む。基地局は、３ＧＰＰロングタームエボリューション（ＬＴＥ）および他のようなある業界規格にしたがって動作することができる（例、基地局は、ノードＢ、発展型ノードＢ（ｅＮＢ）等と呼ばれる）。基地局が従う規格の他の例は、電気電子技術者協会（ＩＥＥＥ）８０２．１６（例、ワールドワイド・インターオペラビリティ・フォー・マイクロウェイブアクセスまたは「ＷｉＭＡＸ」）と「Ｗｉ−Ｆｉ」規格（例、ＩＥＥＥ８０２．１１ａ、８０２．１１ｂ、８０２．１１ｇ、８０２．１１ｎおよび８０２．１１ａｃ規格等）を含む。ここで開示されるシステムおよび方法のいくつかは１つまたは複数の規格から説明されることができるが、これは、システムおよび方法が多くのシステムおよび／または規格に適用可能であるので、本開示の範囲を限定すべきでない。
【００２３】
ここで使用されるように、用語「無線通信デバイス」は、一般的には、基地局または他のデバイスに無線で接続する、一種の電子デバイス（例、アクセス端末、クライアントデバイス、クライアント局等）を表す。無線通信デバイスは、代替的に、モバイルデバイス、移動局、加入者局、ユーザ機器（ＵＥ）、遠隔局、アクセス端末、モバイル端末、端末、ユーザ端末、加入者ユニット等と呼ばれうる。無線通信デバイスの例は、ラップトップまたはデスクトップコンピュータ、セルラ電話、スマートフォン、無線モデム、ｅ−リーダ、タブレットデバイス、ゲーミングシステム等を含む。無線通信デバイスは、基地局に関連して上記で説明されるような１つまたは複数の業界規格（例、３ＧＰＰ規格等）に従って動作しうる。したがって、一般的な用語「無線通信デバイス」は、業界規格にしたがった様々な用語（例、アクセス端末、ユーザ機器（ＵＥ）、遠隔端末等）で説明された無線通信デバイスを含めうる。
【００２４】
ここで開示されたシステムおよび方法の一例は、ロングタームエボリューションＡ（ＬＴＥ−Ａ）における、高移動性ユーザ機器（ＵＥ）のための改良されたユーザ機器特有基準信号（ＵＥ−ＲＳ）設計を説明する。この例に関するさらなる詳細がこの後でされる。
【００２５】
ＬＴＥリリース８およびリリース９では、各ＵＥがダウンリンク送信モードで半静的に構成される。リリース８で定義される７つの送信モードと、リリース９で定義される１つの追加送信モードがある。具体的には、下の表（１）は、３ＧＰＰ ＴＳ３６．２１３、発展型ユニバーサル無線接続（Ｅ−ＵＴＲＡ）；物理層プロシージャで指定されるようないくつかのモードを図示する。８番目のモード（例、モード８）がリリース−９で与えられており、そしてそれは、２つのＵＥ−ＲＳアンテナポートに基づいてデュアルストリームビームフォーミングを提供する。モード１−６は、共通の基準信号（ＣＲＳ）に依存し、モード７とモード８は、ＵＥ特有ＲＳ（ＵＥ−ＲＳ）に依存する、ということに留意されたい。「ダウンリンク制御情報」はＤＣＩ、「セルラジオネットワーク一時的識別子」はＣ−ＲＮＴＩ、「物理ダウンリンク共有チャネル」はＰＤＳＣＨ、「物理ダウンリンク制御チャネル」はＰＤＣＣＨ、「物理ブロードキャストチャネル」はＰＢＣＨ、「サイクリック遅延ダイバーシティ」はＣＤＤ、を含むいくつかの省略がここにおいて使用されうるということにも留意されるべきである。
【表１】
0005989543.tif 000002
【００２６】
ＬＴＥ−Ａでは、最大ランク８（例、最大８空間層）ＰＤＳＣＨ送信がサポートされることができる。ＰＤＳＣＨ復調の場合、ＵＥ−ＲＳは、改善されたオーバーヘッド効率およびリンク効率のために（例えばＣＲＳに対して）使用されうる。具体的には、ＵＥ−ＲＳパターンが通常のサイクリックプレフィックス（ＣＰ）におけるサブフレームについて使用され、異なるＵＥ−ＲＳパターンが拡張サイクリックプレフィックス（ＣＰ）におけるサブフレームについて使用されうる。異なるランクは、符号分割多重化（ＣＤＭ）、周波数分割多重化（ＦＤＭ）または両方の組み合わせで区別されうる。追加ＵＥ−ＲＳパターンは、異なるまたは特別なシナリオの下で使用されうる。一例として、時分割デュプレキシング（ＴＤＤ）における特別なサブフレーム（例、ダウンリンクパイロット時間スロット（ＤｗＰＴＳ）サブフレーム）は異なるＵＥ−ＲＳパターンを利用しうる。
【００２７】
低移動性ＵＥ対高移動性ＵＥの説明が下記でなされる。（例えば、リリース−８、リリース−９およびＬＴＥ−Ａで与えられる）現在のＵＥ−ＲＳ設計は、低移動性ＵＥ（例、相対的に低い速度のレートで移動しているＵＥ）に基づいている。一構成では、リソースブロック（ＲＢ）あたり１つのＵＥ−ＲＳポートに割り当てられた１２のリソースエレメント（ＲＥ）がある。高移動性ＵＥ（例、相対的に高い速度のレートで移動しているＵＥ）の場合、高密度ＵＥ−ＲＳ設計と比較すると、性能の劣化があるということが示されている。具体的には、高密度ＵＥ−ＲＳ設計は、増大された時間密度を使用して、より小さなチャネルコヒーレンス時間に対応することができる。高密度ＵＥ−ＲＳ設計は、「ベースライン」ＵＥ−ＲＳに加えて、１つまたは複数の追加ＵＥ−ＲＳを使用することができる。例えば、１つまたは複数のＵＥ−ＲＳは、高移動性ＵＥについてのＵＥ−ＲＳ時間密度を増大させるためにサブフレームに追加されうる。「ベースラインＵＥ−ＲＳ」は、（例えば低移動性ＵＥに基づいて）一般的に割り付けられるＵＥ特有基準信号（ＵＥ−ＲＳ）または、初期の３ＧＰＰリリースで指定されるように使用されるＵＥ−ＲＳでありうる、ということが留意されるべきである。増大したＵＥ−ＲＳ時間密度のいくつかの異なるパターンがここで開示されるシステムおよび方法にしたがって使用されうるが、ここで開示されたシステムおよび方法はまた、どのように高移動性ＵＥのより高密度ＵＥ−ＲＳパターンをサポートすることを可能にするかについて説明する。
【００２８】
ある従来の案または手法は、ＣＲＳおよびＵＥ特有ＲＳ（ＵＥ−ＲＳ）を組み合わせて、増大した基準信号密度を達成する。ＣＲＳおよびＵＥ−ＲＳを組み合わせることは、合計の基準信号（ＲＳ）密度を増大させ、その手法はいくつかの複雑さを伴う、そしてそれはこの後で説明される。ＣＲＳに起因して、プレコーディングは、ディスエイブルにされる必要がある場合がある。しかしながら、相関されたアンテナシステムでは、プレコーディングを介した著しいビームフォーミング利得が達成されうる。単一周波数ネットワーク上のマルチメディアブロードキャスト（ＭＢＳＦＮ）サブフレームでは、ＣＲＳポートがデータ領域において存在しない場合がある。高移動性ＵＥをサポートする追加基準信号リソースエレメント（ＲＥ）の所望の数は、ＣＲＳに起因してＲＥの数とは異なる場合がある。例えば、４つのＣＲＳポートがある、つまり、データ領域におけるリソースブロック（ＲＢ）あたり１６のＲＥがある場合、ＲＥの数をＲＢあたり８個に制限する必要があり（既存の１２ＵＥ−ＲＳ ＲＥに加えて、すなわち、合計２０の基準信号ＲＥとなる）、そしてそれは、最初の２ＣＲＳポートをイネーブルすることによってのみ行われうる。
【００２９】
ここで開示されたシステムおよび方法は、高移動性ＵＥのための高密度ＵＥ−ＲＳパターンをサポートする異なる方法を提供する。高移動性ＵＥは、より高いランク送信を一般的にはサポートしないことがある。例えば、高移動性ＵＥは、一般的にはｒ＝１を有し、なお、ｒは（送信）ランクを表す。ランクは、送信に使用される空間層の数である。１つまたは複数の追加ＵＥ−ＲＳは、下記のように１つまたは複数のベースラインＵＥ−ＲＳでパターンに追加されうる。
【００３０】
あるランクｒ送信の場合、同じリリース８、リリース９および／またはＬＴＥ−Ａ ＵＥ−ＲＳポート（「ベースラインＵＥ−ＲＳ」と表される）が適用されうる。さらに、ＵＥは、追加ＵＥ−ＲＳポート（「追加ＵＥ−ＲＳ］と表される）もまた存在するということを通知される。一構成では、追加ＵＥ−ＲＳは、ベースラインＵＥ−ＲＳを含む同じシンボル（単数または複数）において存在することがある。追加的にまたは代替的に、追加ＵＥ−ＲＥポートは、ベースラインＵＥ−ＲＳを含まないシンボルにおいて存在することがある。さらに、追加ＵＥ−ＲＳポートは、ＣＲＳにもともと使用されたＲＥのうちのいくつかを使用することができる。
【００３１】
追加ＵＥ−ＲＳポートは、最適ＵＥ−ＲＳパターン（例、追加ＵＥ−ＲＳを伴うベースライン）が高移動性ＵＥをサポートするために実現されることができるように設計されることができる。同じプレコーディングが、ベースラインＵＥ−ＲＳに適用される追加ＵＥ−ＲＳに適用されうる。
【００３２】
ベースラインＵＥ−ＲＳの場合に適用される同じスクランブリングシーケンスおよびリソースエレメントマッピングメカニズムが追加ＵＥ−ＲＳにも同様に適用されうる。例えば、ベースラインＵＥ−ＲＳパターンは以前のように保持されることがある。追加ＵＥ−ＲＳパターンは、ベースラインＵＥ−ＲＳパターンと同じ生成のためのプロシージャを使用することができる。しかしながら、追加ＵＥ−ＲＳパターンは、同じスクランブリングシーケンスを必ずしも使用しない場合がある。言いかえれば、異なるスクランブリングシーケンスが使用されうる。一構成では、ＵＥ−ＲＳシーケンス・ツー・リソースエレメント（ＲＥ）マッピングは、最初に周波数、次に時間に従うことができる。
【００３３】
追加ＵＥ−ＲＳパターンのまわりのデータ送信レートマッチングが使用されうる。例えば、物理ダウンリンク共有チャネル（ＰＤＳＣＨ）がリソースエレメント（ＲＥ）にマッピングされる場合、ベースラインＵＥ−ＲＳポートおよび追加ＵＥ−ＲＳポートによって占められていないこれらのＲＥにのみマッピングされうる。あるいは、データ送信は、追加ＵＥ−ＲＳでロケーションにおいてパンクチャリングされうる（一構成では、このことは、例えば３ＧＰＰリリース８におけるようなあるサブフレームにおける中央の６リソースブロック（ＲＢ）を占めるプライマリ同期信号（ＰＳＳ）およびセカンダリ同期信号（ＳＳＳ）でオーバラップされたＰＤＳＣＨを扱うことと同様である）。例えば、ＰＤＳＣＨは、ベースラインＵＥ−ＲＳポートのみによって占められないＲＥに最初にマッピングされうる、そして後にパンクチャリングされている追加ＵＥ−ＲＳ ＲＥと衝突しているＰＤＳＣＨ ＲＥが続く。異なるＵＥは、（例えば、ＵＥ速度に依存して）同じ追加ＵＥ−ＲＳポートまたは異なる追加ＵＥ−ＲＳポートを使用して通知されうる。
【００３４】
ここで開示されたシステムおよび方法はまた、追加ＵＥ−ＲＳの存在をシグナリングすること（例えば、追加ＵＥ−ＲＳについての構成をシグナリングすること）を説明する。このことは、例えば、少なくとも１つの追加ＵＥ−ＲＳが使用されているまたは送信されているということをＵＥに通知するために使用されうる。
【００３５】
ある手法では、高移動性と識別されるＵＥは、ＵＥ−ＲＳを使用して層３制限されたランク送信によって構成されうる、なお、例えば、ランクｒ≦Ｒ（およびＲは最大ランクまたはランク制限）である。例えばＲ＝１である場合、ＵＥは、ランク１送信のみに制限される。より具体的には、その構成は、この目的専用の新規の層３シグナリングメッセージを使用して実現されうる。あるいは、その構成は、メッセージの再解釈によって既存の層３シグナリングメッセージを使用して実現されうる。例えば、３ＧＰＰＬＴＥリリース８では、ＵＥは、コードブックサブセット制約の層３シグナリングメッセージを使用して構成されうる。コードブックサブセット制約は、ＵＥが層３構成されたサブセットに基づいて、チャネルフィードバックを報告するように制約されるものでありうる。例えば、ＵＥは、ランク−１チャネルフィードバックのみを供給するように構成されることができる。ＵＥ−ＲＳを使用する制限されたランク送信は、構成されたコードブックサブセット制約をＰＤＳＣＨ送信のためにサポート可能なランクへマッピングすることによって、このような層３シグナリングメッセージを再利用しうる。
【００３６】
追加的にまたは代替的に、起こりうる追加ＵＥ−ＲＳ構成のセットは、層３シグナリングを使用して明示的に指定されうる。例えば、２ビットインジケータが下記のように使用されうる。００は、追加ＵＥ−ＲＳなしということを示し、０１は、６よりも多いＲＥに対応する追加ＵＥ−ＲＳが使用されるということを示し、１０は、１２よりも多いＲＥに対応する追加ＵＥ−ＲＳが使用されるということを示し、１１はリザーブされる、である。このことは、非単一周波数ネットワーク上のマルチメディアブロードキャスト（非ＭＢＳＦＮ）サブフレームおよび／または単一周波数ネットワーク上のマルチメディアブロードキャスト（ＭＢＳＦＮ）サブフレームに適用されうる。この手法に関する更なる詳細が下記で与えられる。
【００３７】
あるいは、追加ＵＥ−ＲＳが使用されることができるか使用されることができないかは、物理ダウンリンク制御チャネル（ＰＤＣＣＨ）によって示されることができる。これは、明示的にまたは黙示的に行われうる。ＰＤＣＣＨ上で明示的にシグナリングされる場合、例えば、２ビットインジケータが使用されうる。（例えば、ＬＴＥ−Ａで）黙示的にシグナリングされる場合、ＵＥは、ＰＤＳＣＨ送信についてＵＥ−ＲＳポートの数を通知されうる。Ｓと表されるＰＤＣＣＨでシグナリングされたＵＥ−ＲＳポートの数が層３構成された最大ランクＲよりも大きくない場合、このことは、追加ＵＥ−ＲＳポートなしを示すことができる。そうでない場合（例えばＳ＞Ｒの場合）、使用されるべきＵＥ−ＲＳポートのセットは、ＳとＲの差に基づいて黙示的に導出されうる。例えば、Ｓ−Ｒ＝１である場合、このことは、値０１（例えば６よりも多いＲＥに対応する追加ＵＥ−ＲＳが上記例のように使用されるということ）を示すことができる。さらに、Ｓ−Ｒ≧２である場合、このことは、値１０（例えば１２よりも多いＲＥに対応する追加ＵＥ−ＲＳが上記例のように使用されるということ）を示すことができる。
【００３８】
いくつかの構成では、シグナリングはまた、単一周波数ネットワーク上のマルチメディアブロードキャスト（ＭＢＳＦＮ）サブフレームと非単一周波数ネットワーク上のマルチメディアブロードキャスト（非ＭＢＳＦＮ）サブフレームとを区別するために使用されることができる。単一周波数ネットワーク上のマルチメディアブロードキャスト（ＭＢＳＦＮ）サブフレームがデータ領域においてＣＲＳを搬送しないので、単一周波数ネットワーク上のマルチメディアブロードキャスト（ＭＢＳＦＮ）サブフレームと非単一周波数ネットワーク上のマルチメディアブロードキャスト（非ＭＢＳＦＮ）サブフレームを区別する必要がある場合がある。ある手法では、ＣＲＳにベースラインＵＥ−ＲＳ手法を加えたものは、追加ＵＥ−ＲＳにベースラインＵＥ−ＲＳ手法を加えたものと混合されうる。例えば、（前の例の拡張として）、値００は、追加ＵＥ−ＲＳが使用されないが代わりにＣＲＳが使用されるということを示すことができる。この場合、例えば、ベースラインＵＥ−ＲＳに加えて、リリース８ＣＲＳがさらに使用されうる。例えば、ＣＲＳは、（トランケートされたＣＲＳで）ＰＤＳＣＨで占められた帯域幅に限定されうる。トランケートされたＣＲＳは、ベースラインＵＥ−ＲＳと同じプレコーディングでプレコードされることがある。あるいは、ＣＲＳはプレコードされない場合がある。したがって、ここで開示されたシステムおよび方法の一例は、ロングタームエボリューション：Ａ（ＬＴＥ−Ａ）における高移動性ＵＥのＵＥ−ＲＳ設計をどのように高めるかについて説明する。
【００３９】
様々な構成が図面を参照して説明され、同様な参照番号が機能的に同様な構成要素を示すことができる。ここで一般的に説明され図面の中で図示されるようなシステムおよび方法は、多種多様の異なる構成で配置かつ設計されることができる。したがって、図面で表されている、いくつかの構成の下記のより詳細な説明は、特許請求される範囲を限定するようには意図されておらず、そしてそれはシステムと方法の例にすぎない。
【００４０】
図１は、高移動性の無線通信デバイス１１２ａのための基準シグナリングのためのシステムおよび方法が実装されうる、基地局１０２と無線通信デバイス１１２の一構成を図示するブロック図である。基地局１０２の例は、ノードＢおよび発展型ノードＢ（ｅＮＢ）等を含む。基地局１０２は１つまたは複数のアンテナ１１０ａ−ｎを使用して、１つ以上の無線通信デバイス１１２と通信する。例えば、基地局１０２は、（高移動性）無線通信デバイスＡ１１２ａおよび無線通信デバイスＢ１１２ｂと通信する。無線通信デバイスＡ１１２ａは、１つまたは複数のアンテナ１２２ａ−ｎを使用して基地局１０２と通信することができ、無線通信デバイスＢ１１２ｂは、１つまたは複数のアンテナ１２４ａ−ｎを使用して基地局１０２と通信することができる。
【００４１】
基地局１０２は、基準信号を生成し、１つまたは複数の無線通信デバイス１１２ａ−ｂへ送る。例えば、１つまたは複数の通信デバイス１１２ａ−ｂは、基準信号を使用して、フィードバックまたは制御情報を生成することができる。一構成では、無線通信デバイス１１２は、１つまたは複数の基準信号を使用して、チャネル品質インジケータ（ＣＱＩ）、プレコーディングマトリクスインジケータ（ＰＭＩ）および／またはランクインジケータ（ＲＩ）を計算する。例えば、チャネル品質インジケータ（ＣＱＩ）は、チャネル品質のインジケーションであり、プレコーディングマトリクスインジケータ（ＰＭＩ）は、基地局１０２がその送信をプレコードするために使用することが出来るという情報（例、アンテナ重み付け）を示し、ランクインジケータ（ＲＩ）は、無線通信デバイス１１２によってサポートされることができる多数のストリームまたは層を示すことができる。１つまたは複数の無線通信デバイス１１２ａ−ｂは基地局１０２へフィードバックまたは制御情報を送信することができる。
【００４２】
従来の手法では、無線通信デバイス１１２がある速度の範囲内で移動するということが仮定されてきた。例えば、一般的な人の歩行速度または運転速度は、仮定された無線通信デバイス１１２の速度に帰属させることができる。これらの速度の範囲は、様々なアップリンク（例、無線通信デバイス１１２から基地局１０２まで）またダウンリンク（例、基地局１０２から無線通信デバイス１１２まで）の無線チャネルの性能を最適化するために仮定されうる。したがって、例えば、基準信号または物理的共有チャネルは、動きの名目レート（例、０と１５０ｋｍ／ｈｒとの間）または動きの他の何らかの適切なレートで移動する無線通信デバイス１１２の最適な性能に基づいて構成されることができる。しかしながら、これらの信号の劣化は、より高いレート（例えば、２５０ｋｍ／時間（ｋｍ／ｈｒ）よりも速い）で移動する無線通信デバイス１１２に対して生じる場合がある。したがって、例えば、高速で移動する（高移動性）無線通信デバイスＡ１１２ａは、動きの名目レートで移動する無線通信デバイスＢ１１２ｂと比べて、より低いスループット、データレート、信号品質、増大したジッタ、または同様なものを観測する可能性がある。例えば、無線通信デバイス１１２は、それが１２０ｋｍ／ｈｒよりも早く移動している場合には、「高移動性」と指定されうる。別の速度（例、６０ｋｍ／ｈｒ）は、「高移動性」として無線通信デバイス１１２をカテゴリ化するために使用されうる。このカテゴリ化は、使用されるキャリア周波数にさらに依存することができる。例えば、「高移動性」として無線通信デバイス１１２をカテゴリ化するためのしきい値の速度は、通信に使用されているキャリア周波数によって変動することがある。
【００４３】
ここで開示されるシステムおよび方法は、基地局１０２と高移動性の無線通信デバイス１１２との間のおそらく劣化した通信を緩和するために適用されうる。高移動性の無線通信デバイスＡ１１２ａは、無線通信デバイス高移動性ブロック／モジュール１１４を含み、ハードウェア、ソフトウェア、または両方の組み合わせで実装されうる。無線通信デバイスの高移動性のブロック／モジュール１１４は、モビリティ検出器１１６、追加基準信号処理ブロック／モジュール１１８および／または基準信号構成解釈ブロック／モジュール１２０を含めうる。
【００４４】
モビリティ検出器１１６は、高移動性の無線通信デバイスＡ１１２ａの動き（例、速度）を検出する。一構成では、モビリティ検出器１１６は、動き（例、速度）を推定するために使用される加速度計を備える。追加的にまたは代替的に、モビリティ検出器１１６は、動き（例、速度）を推定するために使用されうる全地球測位システム（ＧＰＳ）デバイスを備える。モバイル検出器１１６が、無線通信デバイスＡ１１２ａがあるしきい値速度（例、１２０ｋｍ／ｈｒ）よりも速く移動するということを検出する場合には、無線通信デバイスＡ１１２ａは、無線通信デバイスＡ１１２ａが高移動性の無線通信デバイス１１２であるということを示すインジケータを基地局１０２へ送信することができる。一構成では、無線通信デバイスＡ１１２ａは、その速度を示すメッセージを送信する。別の構成では、無線通信デバイスＡ１１２ａは、それが高移動性の無線通信デバイス１１２であることを示す他の何らかのインジケータまたはメッセージ（例、高移動性のサービスリクエスト）を基地局１０２へ送信する。基地局１０２は、無線通信デバイスＡ１１２ａが「高移動性」であることを示すメッセージまたはインジケータを受信する。
【００４５】
基地局１０２は、基地局高移動性のブロック／モジュール１０４を含む。基地局高移動性のブロック／モジュール１０４は、ハードウェア、ソフトウェアまたは両方の組み合わせで実装されうる。基地局高移動性のブロック／モジュール１０４は、１つまたは複数のハードウェアブロックおよび／または１つまたは複数のソフトウェアモジュールを含めうる。基地局高移動性のブロック／モジュール１０４は、高移動性の無線通信デバイスブロック／モジュール１０６、および／または、基準信号構成シグナリングブロック／モジュール１０８のための基準信号割り付けを含めうる。
【００４６】
高移動性の無線通信デバイスブロック／モジュール１０６のための基準信号割り付けは、ハードウェア、ソフトウェアまたは両方の組み合わせで実装されうる。高移動性の無線通信デバイスブロック／モジュール１０６のための基準信号割り付けは、１つまたは複数の無線通信デバイス１１２に特有である１つまたは複数の追加基準信号を割り付ける（例、ＵＥ特有ＲＳ）。例えば、基地局１０２が高移動性の無線通信デバイスＡ１１２ａから高移動性のインジケータを受信する場合、基地局１０２は、それ１１２ａに、送信されるべき追加の基準信号を割り付ける。このことは、シグナリングパターンにおける基準信号の時間密度を増大させる。基準信号の数を増大させることは、無線通信デバイスＡ１１２ａからのフィードバックの高速レートを許容し、それによって、リンク品質を改善または維持させる（または、リンク劣化を回避する）ことがある。
【００４７】
基準信号構成シグナリングブロック／モジュール１０８は、追加基準信号が使用されているかをシグナリングする。例えば、それ１０８は、追加基準信号が使用されるか、時間および周波数におけるそれらのロケーション（例、それらがマッピングされるリソースエレメント）を示すインジケーションを高移動性の無線通信デバイスＡ１１２ａへ送信する。例えば、このことは、層３制限されたランク送信、明示的な層３シグナリングおよび／またはＰＤＣＣＨシグナリングを使用してシグナリングされうる。したがって、例えば、基地局１０２は、１つまたは複数の追加基準信号が使用されているということをシグナリングし、１つまたは複数の追加基準信号を割り付け、それらを高移動性の無線通信デバイスＡ１１２ａに送信する。
【００４８】
高移動性の無線通信デバイスＡ１１２ａは、基準信号構成解釈ブロック／モジュール１２０を使用して、１つまたは複数の追加基準信号が送信されるか、それらの時間および周波数におけるロケーション（例、それらがマッピングされるリソースエレメント）を決定する。例えば、このブロック／モジュール１２０は、層３制限されたランク送信解釈、明示的な層３シグナリング解釈および／またはＰＤＣＣＨシグナリング解釈を使用して受信された基準信号構成信号を解釈または復号して、追加基準信号（単数または複数）が使用されるか、また、それらのロケーションを決定する。
【００４９】
１つまたは複数の基準信号が使用される場合、追加基準信号処理ブロック／モジュール１１８は、（例えば、基準信号構成解釈ブロック／モジュール１２０によって示されるように）追加の特有基準信号（１つまたは複数）を処理する。例えば、追加基準信号（１つまたは複数）が、基地局１０２へ送信されるフィードバックインジケータまたはメッセージを送信するために使用されうる。
【００５０】
図２は、高移動性の無線通信デバイスのための基準シグナリングのためのシステムおよび方法が実装されうるノードＢ２０２と１つまたは複数のユーザ機器（ＵＥ）２１２の一構成を図示するブロック図である。ノードＢ２０２の例は、ノードＢおよび発展型ノードＢ（ｅＮＢ）を含む。ノードＢ２０２は、トランシーバ２６０および１つまたは複数のアンテナ２１０ａ−ｎを使用して、１つまたは複数のＵＥ２１２と通信する。ＵＥ２１２は、トランシーバ２７２および１つまたは複数のアンテナ２２２ａ−ｎを使用して、ノードＢ２０２と通信する。ノードＢ２０２と１つまたは複数のＵＥ２１２との間の通信がチャネル上で行われうる。例えば、ノードＢ２０２は、ＰＤＣＣＨ２２６と１つまたは複数のダウンリンクチャネル２６８を使用してＵＥ２１２へ情報を送信しうる。別のダウンリンクチャネル２６８の一例はＰＤＳＣＨであり、そしてそれは、１つまたは複数のＵＥ２１２へ情報を搬送しうる。１つまたは複数のＵＥ２１２は１つまたは複数のアップリンクチャネル２７０を使用して、ノードＢ２０２へ情報を送信することができる。
【００５１】
ノードＢ２０２はシグナリングコントローラ２２６、基準信号生成器２３６、トランシーバ２６０、プレコーダ２５６、アンテナポートマッピングブロック／モジュール２４８、スクランブリングブロック／モジュール２４０および／またはデータソース２３８を含む。ここで使用されるように、「ブロック／モジュール」は、ハードウェア、ソフトウェアあるいは両方の組み合わせで実装されうる。トランシーバ２６０は、１つまたは複数のアンテナ２１０ａ−ｎに結合された１つまたは複数の受信機２６２および１つまたは複数の送信機２６４を含む。一構成では、１つまたは複数の受信機２６２は、１つまたは複数のアンテナ２１０ａ−ｎから受信された信号を受信および／または復調する。１つまたは複数の送信機２６４は信号を変調および／または送信することができる。
【００５２】
ＵＥ２１２はトランシーバ２７２、モビリティ検出器２１６、フィードバック生成器２８６および復号器２９２を含む。トランシーバ２７２は、１つまたは複数のアンテナ２２２ａ−ｎに結合された１つまたは複数の受信機２７４および１つまたは複数の送信機２７６を含む。一構成では、１つまたは複数の受信機２７４は、１つまたは複数のアンテナ２２２ａ−ｎから受信された信号を受信および／または復調する。１つまたは複数の送信機２７６は信号を変調および／または送信することができる。
【００５３】
モビリティ検出器２１６は、ＵＥ２１２の動き（例、速度）を検出するブロックおよび／またはモジュールである。一構成では、モビリティ検出器２１６は、動き（例、速度）を推定するために使用される加速度計２７８を備える。追加的にまたは代替的に、モビリティ検出器２１６は、動き（例、速度）を推定するために使用されうる全地球測位システム（ＧＰＳ）デバイス２８０を備える。モビリティ検出器２１６が、ＵＥ２１２があるしきい値速度（例、１２０ｋｍ／ｈｒ）よりも速く移動するということを検出する場合、それ２１６は、ノードＢ２０２への送信のために、送信機（１つまたは複数）２７６へ高移動性のインジケータ２８２を送信する。送信機（１つまたは複数）２７６は、高移動性ＵＥ２１２としてＵＥを示すノードＢ２０２へインジケータを送信する。一構成では、ＵＥ２１２は、その速度を示すメッセージを送信する。別の構成では、ＵＥ２１２は、それが高移動性ＵＥ２１２であるということを示す他の何らかのインジケータまたはメッセージ（例、高移動性サービスリクエスト）をノードＢ２０２へ送信する。ノードＢ２０２は、その受信機（１つまたは複数）２６２を使用して、ＵＥ２１２が「高移動性」であるということを示すメッセージまたはインジケータを受信する。
【００５４】
受信機（１つまたは複数）２６２は、受信された高移動性のインジケータまたはメッセージ２５８をシグナリングコントローラ２２６へ送信する。シグナリングコントローラは、ノードＢのシグナリングと１つまたは複数のＵＥ２１２のシグナリングを制御するブロックおよび／またはモジュールである。例えば、シグナリングコントローラ２２６は、１つまたは複数のＵＥ２１２に情報（例、制御情報および／またはペイロードデータ）を通信するために、通信リソース（例、時間／周波数リソース、リソースブロック（ＲＢ）、ＲＥ等）を割り付けることができる。
【００５５】
シグナリングコントローラ２２６は、基準信号構成シグナリングブロック／モジュール２０８を含み、そしてそれは、１つまたは複数のハードウェアブロックおよび／または１つまたは複数のソフトウェアモジュールとして実装されうる。基準信号構成シグナリングブロック／モジュール２０８は、層３制限されたランクシグナリングブロック／モジュール２２８、明示的な層３シグナリングブロック／モジュール２３０およびＰＤＣＣＨシグナリングブロック／モジュール２３２のうちの１つまたは複数を含めうる。一構成では、ノードＢ２０２は、３つのブロック／モジュール２２８、２３０、２３２のうちの１つのみを含む。別の構成では、ノードＢ２０２は、ブロック／モジュール２２８、２３０、２３２の２以上を含む。層３制限されたランクシグナリングブロック／モジュール２２８、明示的な層３シグナリングブロック／モジュール２３０および／またはＰＤＣＣＨシグナリングブロック／モジュール２３２は、追加ＵＥ特有基準信号（ＵＥ−ＲＳ）がＵＥ２１２に割り付けられるおよび／または送信されるかをＵＥ２１２へシグナリングするために使用されうる。言い換えれば、シグナリングコントローラ２２６は、追加ＵＥ−ＲＳが使用されるかおよび追加ＵＥ−ＲＳのロケーション（例、時間および周波数における、または、ＲＥにおける）を示す情報および／または命令２４４をアンテナポートマッピングブロック／モジュール２４８へ供給しうる。このインジケーション、情報または命令２４４は、基準信号構成２４４と呼ばれうる。基準信号構成２４４は、ＵＥ２１２へシグナリングされうる。一構成では、基準信号構成２４４は、ＲＥおよび／またはアンテナポートに、基準信号を割り付けるおよび／またはマッピングするために使用されうる。基準信号構成２４４は、アンテナポートマッピングブロック／モジュール２４８によってマッピングされ、プレコーダ２５６によってプレコードされ、１つまたは複数の送信機２６４と１つまたは複数のアンテナ２１０ａ−ｎを使用してＵＥ２１２へ送信されることができる。
【００５６】
例えば、シグナリングコントローラ２２６が受信機から高移動性メッセージまたはインジケータ２５８を受信する場合、それ２２６は、シグナリングモジュール２２８、２３０、２３２のうち１つまたは複数を使用して、ＵＥ２１２へ基準信号構成インジケータまたはメッセージを送信することができる。基準信号構成シグナリングブロック／モジュール２０８が１よりも多いシグナリングブロック／モジュール２２８、２３０、２３２を含む場合には、それ２０８は、シグナリングブロック／モジュール２２８、２３０、２３２のうち１つまたは複数を選択して、基準信号構成インジケータまたはメッセージをＵＥ２１２へ送信することができる。この選択は、例えば、現在のダウンリンクチャネル２６６、２６８トラフィック、および／または、チャネル品質に基づくことができる。ノードＢ２０２はまた、シグナリングブロック／モジュール２２８、２３０、２３２のうちどれが使用されているかを示す明示的または黙示的インジケーションをＵＥ２１２へ送信することができる。
【００５７】
高移動性として識別されるＵＥ２１２は、ＵＥ−ＲＳを使用して、層３制限されたランクシグナリング２２８によって構成されうる、ここでは、例えばランクｒ≦Ｒである（Ｒは最大ランクまたはランク制限である）。例えば、Ｒ＝１である場合、ＵＥ２１２は、ランク１送信のみに制限される。言い換えると、高移動性ＵＥ２１２は、１つまたは複数のあるランクに制約されうる。これは、別個に構成されうる、または、コードブックサブセット制約メカニズムを使用して達成されうる。より具体的には、その構成は、この目的専用の新規の層３シグナリングメッセージを使用して実現されうる。あるいは、その構成は、メッセージの再解釈によって既存の層３シグナリングメッセージを使用して実現されうる。例えば、３ＧＰＰ ＬＴＥリリース８では、ＵＥは、コードブックサブセット制約の層３シグナリングメッセージを使用して構成されうる。コードブックサブセット制約は、ＵＥ２１２が層３構成されたサブセットに基づいてチャネルフィードバックを報告するように制約されるものでありうる。例えば、ＵＥ２１２は、ランク１チャネルフィードバックのみを提供するように構成されることができる。ＵＥ−ＲＳを使用する制限されたランク送信は、構成されたコードブックサブセット制約をＰＤＳＣＨ送信のためにサポート可能なランクへマッピングすることによって、このような層３シグナリングメッセージを再利用しうる。一構成では、層３シグナリングが無線リソース制御（ＲＲＣ）シグナリングでありうるということは留意されるべきである。
【００５８】
代替的にまたは追加的に、明示的な層３シグナリング２３０が使用されうる。この場合、起こりうる追加ＵＥ−ＲＳ構成のセットは、明示的な層３シグナリング２３０を使用して明示的に指定されうる。例えば、２ビットインジケータが下記のように使用されうる。００は、追加ＵＥ−ＲＳなしということを示し、０１は、６よりも多いＲＥに対応する追加ＵＥ−ＲＳが使用されるということを示し、１０は、１２よりも多いＲＥに対応する追加ＵＥ−ＲＳが使用されるということを示し、１１はリザーブされる、である。このことは、非単一周波数ネットワーク上のマルチメディアブロードキャスト（非ＭＢＳＦＮ）サブフレームおよび／または単一周波数ネットワーク上のマルチメディアブロードキャスト（ＭＢＳＦＮ）サブフレームに適用されうる。
【００５９】
あるいは、ＰＤＣＣＨシグナリング２３２は、追加ＵＥ−ＲＳが使用されることができるまたは使用されることができない、を示すために使用されうる。この場合、追加ＵＥ−ＲＳ（またはそうでないもの）を示す情報は、ＰＤＣＣＨ２６６上で送信されうる。これは、明示的にまたは黙示的に行われうる。例えば、２ビットインジケータは、明示的なＰＤＣＣＨシグナリング２３２のために使用されうる。いくつかの構成では、利用される２ビットパターンは、明示的な層３シグナリングについて上記で説明されるものと同じであることがある。（例えばＬＴＥ−Ａで）黙示的なＰＤＣＣＨシグナリングを使用するとき、ＵＥ２１２は、ＰＤＳＣＨ（例、他のダウンリンクチャネル２６８のうちの１つの）送信についてＵＥ−ＲＳポートの数を通知されうる。Ｓと表されるＰＤＣＣＨ２６６でシグナリングされたＵＥ−ＲＳポートの数が層３構成された最大ランクＲよりも大きくない場合、このことは、追加ＵＥ−ＲＳポートなしを示すことができる。そうでない場合（例えばＳ＞Ｒの場合）、使用されるべきＵＥ−ＲＳポートのセットは、ＳとＲの差に基づいて黙示的に導出されうる。例えば、Ｓ−Ｒ＝１である場合、このことは、６よりも多いＲＥに対応する追加ＵＥ−ＲＳが上記の例にあるように使用されるということ（例、値０１）を示すことができる。さらに、Ｓ−Ｒ≧２である場合、このことは、１２よりも多いＲＥに対応する追加ＵＥ−ＲＳが上記例にあるように使用されるということ（例、値１０）を示すことができる。
【００６０】
一構成では、シグナリングはまた、単一周波数ネットワーク上のマルチメディアブロードキャスト（ＭＢＳＦＮ）サブフレームと非単一周波数ネットワーク上のマルチメディアブロードキャスト（非ＭＢＳＦＮ）サブフレームとの間で区別するために使用されうる。単一周波数ネットワーク上のマルチメディアブロードキャスト（ＭＢＳＦＮ）サブフレームがデータ領域においてＣＲＳを搬送しないので、単一周波数ネットワーク上のマルチメディアブロードキャスト（ＭＢＳＦＮ）サブフレームと非単一周波数ネットワーク上のマルチメディアブロードキャスト（非ＭＢＳＦＮ）サブフレームを区別する必要がある場合がある。ある手法では、ＣＲＳにベースラインＵＥ−ＲＳ手法を加えたものは、追加ＵＥ−ＲＳにベースラインＵＥ−ＲＳ手法を加えたものと混合されうる。例えば、（前の例の拡張として）、値００は、追加ＵＥ−ＲＳが使用されないが代わりにＣＲＳが使用されるということを示すことができる。この場合、例えば、ベースラインＵＥ−ＲＳに加えて、リリース８ＣＲＳがさらに使用されうる。例えば、ＣＲＳは、（トランケートされたＣＲＳを用いて）ＰＤＳＣＨで占められた帯域幅に限定されうる。トランケートされたＣＲＳは、ベースラインＵＥ−ＲＳと同じプレコーディングでプレコードされる場合がある。あるいは、ＣＲＳはプレコードされない場合がある。したがって、ここで開示されるシステムおよび方法の一例は、ロングタームエボリューション：Ａ（ＬＴＥ−Ａ）において高移動性ＵＥのＵＥ−ＲＳ設計をどのように高めるかについて説明する。
【００６１】
シグナリングコントローラ２２６は、追加ＵＥ−ＲＳが（高移動性ＵＥ２１２のために）使用されるという命令２３４を基準信号生成器２３６に通知または送信しうる。この通知または命令２３４は、基準信号構成でありうる、または、他の何らかの命令またはインジケーションでありうる。基準信号生成器２３６は、基準信号を生成するために使用されるハードウェアブロックおよび／またはソフトウェアモジュールでありうる。ＣＲＳおよびＵＥ特有基準信号（ＵＥ−ＲＳ）は基準信号生成機２３６によって生成されうるということは留意されるべきである。一構成では、基準信号は、リソースエレメントのパターンを備え、リソースエレメントは、ＵＥ２１２に知られている、特定アンテナポートについての直交周波数分割多重化（ＯＦＤＭ）シンボルにおける周波数トーンのリソースユニットを表す。ＣＲＳは、複数のＵＥ２１２またはいずれのＵＥ２１２によって使用されうる基準信号である。ＵＥ特有基準信号（ＵＥ−ＲＳ）は、１つまたは複数の特定のＵＥ２１２に特有でありうるまたは１つまたは複数の特定のＵＥ２１２に対して意図されうる。
【００６２】
基準信号生成機２３６は、高移動性ＵＥブロック／モジュール２０６のための基準信号割り付けを含む。基準信号生成器２３６が追加ＵＥ−ＲＳが（高移動性ＵＥ２１２のために）使用されるであろうということを通知または命令２３４を受信するとき、高移動性ＵＥブロック／モジュール２０６のための基準信号割り付けは、ＵＥ２１２に割り付けられる１つまたは複数の追加の特有基準信号（例、ＵＥ−ＲＳ）を生成する。これらの追加ＵＥ−ＲＳ２４２は（場合によっては、ＣＲＳおよび／または他のベースラインＵＥ−ＲＳ信号に加えて）、スクランブリングブロック／モジュール２４０へ供給される。
【００６３】
スクランブリングブロック／モジュール２４０は、追加ＵＥ−ＲＳ２４２を（例、ＣＲＳおよび他のベースラインＵＥ−ＲＳに加えて）スクランブルして、スクランブルされた基準信号２０１を生成する、そしてそれらは、アンテナポートマッピングブロック／モジュール２４８へ供給される。ベースラインＵＥ−ＲＳの場合で適用される同じスクランブリングシーケンスとリソースエレメントマッピングメカニズムは、追加ＵＥ−ＲＳにも同様に適用されうる。例えば、ベースラインＵＥ−ＲＳパターンは、（例えば、３ＧＰＰ仕様で使用されるように）従前と同じように保持されうる。追加ＵＥ−ＲＳパターンは、ベースラインＵＥ−ＲＳパターンと同じ生成のためのプロシージャを使用することができる。しかしながら、追加ＵＥ−ＲＳパターンは、同じスクランブリングシーケンスを必ずしも使用しない場合がある。言いかえれば、異なるスクランブリングシーケンスが使用されることがある。
【００６４】
アンテナポートマッピングブロック／モジュール２４８はスクランブルされた基準信号２０１を受信する。アンテナポートマッピングブロック／モジュール２４８はまた、データソース２３８からデータ２０３（例、音声、ビデオ、データ等）を受信することができる。例えば、ノードＢ２０２は、ＵＥ２１２への送信のために、データ２０３を有することがある。このデータ２０３の例は、（別のＵＥ、電話または他のデバイスからの）音声データ、ビデオデータ、オーディオデータ、インターネットデータ、制御データ等を含む。アンテナポートマッピングブロック／モジュール２４８はまた、シグナリングコントローラ２２６から情報および／または命令２４４を受信することができる。情報および／または命令２４４は、例えば、追加ＵＥ−特有基準信号（ＵＥ−ＲＳ）が使用されるか、また、その追加ＵＥ−ＲＳについて割り付けられた通信リソース（例、ＲＥ）を示す。例えば、情報および／または命令２４４は、基準信号構成に関するシグナリングまたは情報を備える。アンテナポートマッピングブロック／モジュール２４８は、ＲＥおよび／またはアンテナポートへ、基準信号２０１および／またはデータ２０３をマッピングする。マッピングされた情報２５４はプレコーダ２５６に供給される。マッピングされた情報２５４は、マッピングされた基準信号、マッピングされたデータおよび／またはマッピングされた基準信号構成を含めうる。データ２０３、スクランブルされた基準信号２０１および／または基準信号構成２３４は、同じまたは異なるダウンリンクチャネル２６６、２６８にマッピング、または送信されうる、ということに留意されるべきである。
【００６５】
アンテナポートマッピングブロック／モジュール２４８はレートマッチング２５０および／またはパンクチャリング２５２を使用することができる。より具体的には、追加ＵＥ−ＲＳパターンのまわりのデータ送信レートマッチング２５０が使用されうる。例えば、ＰＤＳＣＨがＲＥにマッピングされる場合、ベースラインＵＥ−ＲＳポートおよび追加ＵＥ−ＲＳポートによって占められていない（例、割り付けられている）これらのＲＥにのみマッピングされうる。ＰＤＳＣＨのためのデータ２０３は、データソース２３８から生じることがある。
【００６６】
追加的にまたは代替的に、アンテナポートマッピングブロック／モジュール２４８はパンクチャリング２５２を使用しうる。一構成では、パンクチャリング２５２は、データ送信レートマッチング（例、レートマッチング２５０）が（最初に）ベースラインＵＥ−ＲＳパターンのまわりでのみ使用される動作を指す。レートマッチングの後、例えば、追加ＵＥ−ＲＳパターンに対応するいくつかのＲＥ（例、それらのＰＤＳＣＨ ＲＥ）は、追加のＵＥ−ＲＳと置き換えられる。すなわち、それらのＰＤＳＣＨ ＲＥは追加ＵＥ−ＲＳパターンによって「パンクチャリング」される。より具体的には、データ送信は、追加ＵＥ−ＲＳで、ロケーションにおいてパンクチャリングされうる（例えば３ＧＰＰリリース８におけるようなあるサブフレームにおける中央の６リソースブロック（ＲＢ）を占めるプライマリ同期信号（ＰＳＳ）およびセカンダリ同期信号（ＳＳＳ）でオーバラップされたＰＤＳＣＨを扱うことと同様である）。例えば、ＰＤＳＣＨ（例、データ２０３）は、ベースラインＵＥ−ＲＳポートのみによって占められないＲＥに最初にマッピングされうる、そして後にパンクチャリングされている追加ＵＥ−ＲＳ ＲＥと衝突しているＰＤＳＣＨ ＲＥが続く。
【００６７】
一構成では、ＵＥ−ＲＳシーケンス・ツー・リソースエレメント（ＲＥ）マッピングは、最初に周波数、次に時間に従うことができる。あるいは、ＵＥ−ＲＳシーケンス・ツー・ＲＥマッピングは、最初に時間、次に周波数に従うことができる。異なるＵＥ２１２は、（例えば、ＵＥ２１２速度に依存して）同じ追加ＵＥ−ＲＳポートまたは異なる追加ＵＥ−ＲＳポートを使用して通知されうる。
【００６８】
プレコーダ２５６は、マッピングされた基準信号および／またはデータ２５４をプレコードする。プレコーディングは、１つまたは複数のＵＥ２１２に送信された信号をビームフォーミングするために、特定のアンテナ２１０ａ−ｎに対して重みを割り当てることを含む。プレコーダ２５６は、基準信号および／またはデータ２５４をプレコードするために、受信されたフィードバック２４６を使用しうる。一構成では、受信されたフィードバック２４６は、受信された基準信号に基づいてＵＥ２１２によって生成されたプレコーディングマトリックスインジケータ（ＰＭＩ）を備える。プレコーダ２５６は、マッピングされた基準信号構成、基準信号および／またはデータ２５４を使用して、プレコードされた信号２０５を生成する。プレコードされた信号２０５は、１つまたは複数の送信機２６４および１つまたは複数のアンテナ２１０ａ−ｎに提供またはそれらによって送信される。基準信号および／またはデータがＵＥ２１２へ送信される。
【００６９】
ＵＥ２１２は、その１つまたは複数のアンテナ２２２ａ−ｎと１つまたは複数の受信機２７４を使用して、ノードＢ２０２から信号（例、基準信号構成、基準信号および／またはデータ）を受信する。受信された信号２８８は復号器２９２へ供給される。受信された信号２８８は基準信号構成、１つ以上の参照信号および／またはデータを含めうる。復号器２９２は基準信号構成解釈ブロック／モジュール２２０を含む。基準信号構成解釈ブロック／モジュール２２０は基準信号構成を受信しうる。
【００７０】
基準信号構成解釈ブロック／モジュール２２０は、基準信号構成を解釈するまたは「復号する」ことができる。基準信号構成解釈ブロック／モジュール２２０は、層３制限されたランクシグナリング解釈ブロック／モジュール２９４、明示的な層３シグナリング解釈ブロック／モジュール２９６および／またはＰＤＣＣＨシグナリング解釈ブロック／モジュール２９８のうち１つまたは複数を含めうる（「解釈」は、便宜上、これらのブロック／モジュール２９４、２９６、２９８について図２から省略されるということに留意されるべきである）。例えば、層３制限されたランクシグナリング解釈ブロック／モジュール２９４は、ＵＥ−ＲＳを使用して、層３制限されたランクシグナリング２２８によって受信された基準信号構成を解釈しうる、なお、ランクｒ≦Ｒである（Ｒは最大ランクまたはランク制限である）。例えば、Ｒ＝１である場合、ＵＥ２１２は、ランク１送信のみに制限される。これは、別個に構成されうる、または、コードブックサブセット制約メカニズムを使用して達成されうる。より具体的には、その構成は、この目的専用の新規の層３シグナリングメッセージを使用して実現されうる。あるいは、その構成は、メッセージの再解釈によって既存の層３シグナリングメッセージを使用して実現されうる。例えば、３ＧＰＰＬＴＥリリース８では、ＵＥ２１２は、コードブックサブセット制約の層３シグナリングメッセージを使用して構成されうる。コードブックサブセット制約は、ＵＥが層３構成されたサブセットに基づいてチャネルフィードバックを報告するように制約されるものでありうる。例えば、ＵＥは、ランク−１チャネルフィードバックのみを供給するように構成されることができる。ＵＥ−ＲＳを使用する制限されたランク送信は、構成されたコードブックサブセット制約をＰＤＳＣＨ送信のためのサポート可能なランクへマッピングすることによって、このような層３シグナリングメッセージを再利用しうる。基準信号構成解釈ブロック／モジュール２２０は、層３制限されたランクシグナリング解釈ブロック／モジュール２９４を使用して、（１つまたは複数の）追加ＵＥ−ＲＳが送信されているかおよびそれらのロケーション（例、時間および周波数におけるロケーション、またはリソースエレメント（ＲＥ）など）を決定しうる。
【００７１】
代替的にまたは追加的に、ＵＥ２１２は、明示的な層３シグナリング解釈ブロック／モジュール２９６を使用して、基準信号構成を解釈または復号することができる。この場合、起こりうる追加ＵＥ−ＲＳ構成のセットは、明示的な層３シグナリング２３０を使用して明示的に指定されうる。例えば、２ビットインジケータが下記のように使用されうる。００は、追加ＵＥ−ＲＳなしということを示し、０１は、６よりも多いＲＥに対応する追加ＵＥ−ＲＳが使用されるということを示し、１０は、１２よりも多いＲＥに対応する追加ＵＥ−ＲＳが使用されるということを示し、１１はリザーブされる、である。このことは、非単一周波数ネットワーク上のマルチメディアブロードキャスト（非ＭＢＳＦＮ）サブフレームおよび／または単一周波数ネットワーク上のマルチメディアブロードキャスト（ＭＢＳＦＮ）サブフレームに適用されうる。したがって、ＵＥ２１２は、明示的な層３シグナリング解釈ブロック／モジュール２９６を使用して、基準信号構成を解釈することができる。
【００７２】
あるいは、ＵＥ２１２はＰＤＣＣＨシグナリング解釈ブロック／モジュール２９８を使用して、基準信号構成を解釈または復号することができる。この場合、追加ＵＥ−ＲＳ（またはそうでないもの）を示す情報は、ＰＤＣＣＨ２６６上で受信されうる。これは、明示的にまたは黙示的に行われうる。例えば、２ビットインジケータは、明示的なＰＤＣＣＨシグナリング２３２のために使用されうる。いくつかの構成では、使用される２ビットパターンは、明示的な層３シグナリングについて上記で説明されるものと同様であることがある。（例えばＬＴＥ−Ａで）黙示的なＰＤＣＣＨシグナリングを使用するとき、ＵＥ２１２は、ＰＤＳＣＨ（例、他のダウンリンクチャネル２６８のうちの１つ）送信のためにＵＥ−ＲＳポートの数を通知されうる。Ｓと表されるＰＤＣＣＨ２６６でシグナリングされたＵＥ−ＲＳポートの数が層３構成された最大ランクＲよりも大きくない場合、このことは、追加ＵＥ−ＲＳポートなしを示すことができる。そうでない場合（例えばＳ＞Ｒの場合）、使用されるべきＵＥ−ＲＳポートのセットは、ＳとＲの差に基づいて黙示的に導出されうる。例えば、Ｓ−Ｒ＝１である場合、このことは、６よりも多いＲＥに対応する追加ＵＥ−ＲＳが上記の例におけるように使用されるということ（例、値０１）を示すことができる。さらに、Ｓ−Ｒ≧２である場合、このことは、１２よりも多いＲＥに対応する追加ＵＥ−ＲＳが上記の例におけるように使用されるということ（例、値１０）を示すことができる。したがって、ＵＥ２１２はＰＤＣＣＨシグナリング解釈ブロック／モジュール２９８を使用して、基準信号構成を解釈または復号することができる。ＵＥ２１２が１よりも多い解釈ブロック／モジュール２９４、２９６、２９８を含む場合、ＵＥ２１２は、ノードＢ２０２からの明示的または黙示的なシグナリングに基づいて、使用する１つよりも多い解釈ブロック／モジュール２９４、２９６、２９８を決定しうる。
【００７３】
一構成では、シグナリングは、単一周波数ネットワーク上のマルチメディアブロードキャスト（ＭＢＳＦＮ）サブフレームと非単一周波数ネットワーク上のマルチメディアブロードキャスト（非ＭＢＳＦＮ）サブフレームとの間で区別するために使用されることができる。単一周波数ネットワーク上のマルチメディアブロードキャスト（ＭＢＳＦＮ）サブフレームがデータ領域においてＣＲＳを搬送しないので、単一周波数ネットワーク上のマルチメディアブロードキャスト（ＭＢＳＦＮ）サブフレームと非単一周波数ネットワーク上のマルチメディアブロードキャスト（非ＭＢＳＦＮ）サブフレームを区別する必要がある。ある手法では、ＣＲＳにベースラインＵＥ−ＲＳ手法を加えたものは、追加ＵＥ−ＲＳにベースラインＵＥ−ＲＳ手法を加えたものと混合されうる。例えば、（前の例の拡張として）、値００は、追加ＵＥ−ＲＳが使用されないが代わりにＣＲＳが使用されるということを示すことができる。この場合、例えば、ベースラインＵＥ−ＲＳに加えて、リリース８ＣＲＳがさらに使用されうる。例えば、ＣＲＳは、（トランケートされたＣＲＳを用いて）ＰＤＳＣＨで占められた帯域幅に制限されうる。トランケートされたＣＲＳは、ベースラインＵＥ−ＲＳと同じプレコーディングでプレコードされる場合がある。あるいは、ＣＲＳはプレコードされない場合がある。この差異は、基準信号構成解釈ブロック／モジュール２２０によって検出されうる。
【００７４】
復号器２９２はフィードバック生成器２８６に情報および／または命令２９０を供給しうる。情報および／または命令２９０は、追加ＵＥ−ＲＳが使用されるか、および／またはそれらのロケーション（時間および周波数における、または、ＲＥ）を示す基準信号構成解釈を備えうる。情報および／または命令２９０は、基準信号を、追加的または代替的に含めうる。フィードバック生成器２８６は、フィードバック２８４を生成するために情報および／または命令２９０を使用しうる。フィードバック生成器２８６は、追加基準信号処理ブロック／モジュール２１８を含めうる。
【００７５】
追加ＵＥ−ＲＳが使用される場合、フィードバック生成器２８６は、追加基準信号処理ブロック／モジュール２１８を使用して、追加ＵＥ−ＲＳを配置および／または処理することができる。例えば、フィードバック生成器２８６は、追加基準信号を使用して、フィードバックまたは制御情報を生成することができる。一構成では、フィードバック生成器２８６は、１つまたは複数の基準信号を使用して、チャネル品質インジケータ（ＣＱＩ）、プレコーディングマトリクスインジケータ（ＰＭＩ）および／またはランクインジケータ（ＲＩ）を計算する。例えば、チャネル品質インジケータ（ＣＱＩ）は、チャネル品質のインジケーションであり、プレコーディングマトリクスインジケータ（ＰＭＩ）は、ノードＢ２０２がその送信をプレコードするために使用することが出来る情報（例、アンテナ重み付け、位相情報等）を含み、ランクインジケータ（ＲＩ）は、ＵＥ２１２によってサポートされることができる多数のストリームまたは層を示すことができる。フィードバック生成器２８６は、このフィードバック２８４を１つまたは複数の送信機２７６に提供して、それを１つまたは複数のアップリンクチャネル２７０上で１つまたは複数のアンテナ２２２ａ−ｎを使用してノードＢ２１２へ送信することができる。ノードＢ２０２は、（例、プレコーディングのために）ノードＢ２０２とＵＥ２１２との間の通信を改善または制御するためにこのフィードバックを使用することができる。
【００７６】
図３は、高移動性の無線通信デバイスのための基準シグナリングのための方法３００の一構成を図示するフロー図である。これは、高移動性の無線通信デバイスとの通信を可能にすることができる。基地局１０２は、高移動性の無線通信デバイス１１２ａを識別することができる３０２。例えば、基地局１０２は、高移動性の無線通信デバイス１１２ａから高移動性のインジケータ（例、高移動性しきい値を満たすまたは超過する速度測定値、高移動性サービスリクエストまたは他の何らかのインジケータ等）を受信することによって高移動性の無線通信デバイス１１２ａを識別することができる３０２。基地局１０２が高移動性の無線通信デバイス１１２ａを識別しない場合（例、それ１０２が通信している１つまたは複数の無線通信デバイス１１２が高移動性でない）には、基地局１０２は他のシグナリングを使用することができる３０４。例えば、基地局１０２は、無線通信デバイス１１２のためにＣＲＳおよび／またはベースライン特有基準信号を使用することができる３０４。
【００７７】
基地局１０２が高移動性の無線通信デバイス１１２ａを識別する（例、高移動性のインジケータを受信する）場合、基地局１０２は、無線通信デバイス１１２ａへ基準信号構成を送信することができる３０６。例えば、基地局１０２は、基準信号構成シグナリングブロック／モジュール１０８を使用してこの基準信号構成を生成し送信することができる３０６。このことは、例えば、層３制限されたランクシグナリング、明示的な層３シグナリングおよび／またはＰＤＣＣＨシグナリングを使用して行われることができる。この基準信号構成は、（いずれの「ベースライン」特有基準信号のほかに）追加の特有基準信号（例、ＵＥ−ＲＳ）が使用されているか、および、それらのロケーション（例、時間および周波数における、または、リソースエレメント（ＲＥ）に従う等）を高移動性の無線通信デバイス１１２ａに示すことができる。
【００７８】
基地局１０２は、高移動性の無線通信デバイス１１２ａのために追加特有基準信号を割り付けることができる３０８。例えば、基地局１０２は、１つまたは複数の追加特有基準信号を生成し、それらの送信のために通信リソース（例、時間、周波数リソース、ＲＥ等）を割り付ける。このことは、高移動性の無線通信デバイスブロック／モジュール１０６のための基準信号割り付けを使用して行われうる。例えば、基地局１０２は、６つの追加特有基準信号の送信のために６つの追加ＲＥを割り付ける。一構成では、追加特有基準信号は、ＣＲＳまたはベースライン特有基準信号によって使用されないまたは占められていないＲＥを使用して送信されうる。別の構成では、追加の特有基準信号の１つまたは複数はＣＲＳに当初割り付けられたＲＥを使用して送信されうる。一構成では、追加の特有基準信号（１つまたは複数）は、ベースライン特有基準信号に当初割り付けられた１つまたは複数のＲＥを使用して送信されうる。追加特有基準信号を割り付けることは、基準信号の時間密度を増大させることができ、より頻繁なフィードバックを可能にする、したがって、基地局１０２と高移動性通信デバイス１１２ａとの間の改善された通信を可能にする。
【００７９】
基地局１０２は、高移動性の無線通信デバイス１１２ａへ１つまたは複数の追加特有基準信号を送信することができる３１０。例えば、基地局１０２は、１つまたは複数の送信機と１つまたは複数のアンテナを使用して、追加特有基準信号を送信することができる。
【００８０】
図４は、高移動性の無線通信デバイス１１２ａのための基準シグナリングを使用するための方法４００の一構成を図示するフロー図である。無線通信デバイス１１２は、それが高移動性の無線通信デバイス１１２ａであるか（例、として分類されることができるか）を決定しうる４０２。一構成では、無線通信デバイス１１２は、モビリティ検出器１１６を使用して、この決定を行う。例えば、モビリティ検出器１１６は、時間とともに、加速度計および／または全地球測位システム（ＧＰＳ）のロケーションを使用して、その動き（例、速度）を決定または推定することができる。例えば、検出された速度がしきい値レート未満（例、１２０ｋｍ／ｈ）である場合には、無線通信デバイス１１２は、それは高移動性の無線通信デバイス１１２ａではないということを決定する。しかしながら、検出された速度がしきい値レート以上（例、２５０ｋｍ／ｈ）である場合には、無線通信デバイス１１２は、それは高移動性の無線通信デバイス１１２ａであるということを決定する。
【００８１】
無線通信デバイス１１２は、それが高移動性ではないということを決定する４０２場合には、それ１１２は、他のシグナリングを使用する４０４。例えば、無線通信デバイス１１２は、ＣＲＳおよび／またはベースライン特有基準信号を受信し使用して４０４、フィードバックを生成する。この場合、追加特有基準信号は受信され得ないまたは使用され得ない。
【００８２】
無線通信デバイス１１２はそれが高移動性１１２ａであるということを決定する場合には４０２、それは、高移動性のインジケータを基地局１０２に送信することができる４０６。例えば、高移動性の無線通信デバイス１１２ａは、速度測定値、高移動性サービスリクエスト、または他の何らかの高移動性のインジケータを生成し、基地局１０２へ送信する４０６。この高移動性のインジケータは、無線通信デバイスが高移動性である（例、相対的に「高い」速度のレートで移動する）ということを基地局１０２に通知する。したがって、無線通信デバイス１１２は、高移動性の無線通信デバイス１１２ａとして識別されうる。
【００８３】
（高移動性）無線通信デバイス１１２ａは、基準信号構成を受信する４０８。例えば、高移動性の無線通信デバイス１１２ａは、基準信号構成を受信し４０８、解釈する。一構成では、このことは、基準信号構成解釈ブロック／モジュール１２０を使用して達成される。例えば、高移動性の無線通信デバイス１１２ａは、層３制限されたランクシグナリング解釈、明示的な層３シグナリング解釈、および／またはＰＤＣＣＨシグナリング解釈を使用して、基準信号構成を受信し４０８、解釈することができる。一構成では、基地局１０２が３つの前述の種類のシグナリングのうち１つまたは複数を選択する場合、高移動性の無線通信デバイス１１２ａはまた、どの種類のシグナリングが基準信号構成に使用されるかを示す（明示的または黙示的な）インジケータを受信する。基準信号構成は、追加特有基準信号（単数または複数）が使用されるか、それらのロケーション（時間および周波数における、ＲＥによる、等）を示すことができる。
【００８４】
高移動性の無線通信デバイス１１２ａは、追加特有基準信号を受信することができる４１０。例えば、１つまたは複数の追加特有基準信号が受信される４１０。追加特有基準信号は、基準信号構成にしたがって受信されうる。より具体的には、基準信号構成は、追加特有基準信号（単数または複数）を送信（および受信）するためにどの通信リソースが使用されるかを示す。
【００８５】
高移動性の無線通信デバイス１１２ａは、追加特有基準信号を処理することができる４１２。このことは基準信号構成に基づいて達成されうる。例えば、基準信号構成によって指定された通信リソースに対応する１つまたは複数の追加特有基準信号が、高移動性の無線通信デバイス１１２ａによって処理される。追加特有基準信号（単数または複数）（例、ＵＥ−ＲＳ）を処理すること４１２は、付加的特有基準信号（単数または複数）に基づいてフィードバックを生成することを備えることができる。一構成では、このことは、追加基準信号処理ブロック／モジュール１１８を使用して行われる。例えば、高移動性の無線通信デバイス１１２ａは、追加特有基準信号（単数または複数）を使用して、チャネル品質インジケータ（ＣＱＩ）、プレコーディングマトリクスインジケータ（ＰＭＩ）およびランクインジケータ（ＲＩ）のうち１つまたは複数を生成する。
【００８６】
高移動性の無線通信デバイス１１２ａは、追加特有基準信号（例、ＵＥ−ＲＳ）に基づいて基地局１０２へ情報を送信することができる４１４。一構成では、高移動性の無線通信デバイス１１２ａは、付加的基準信号に基づいて生成された、チャネル品質インジケータ（ＣＱＩ）、プレコーディングマトリクスインジケータ（ＰＭＩ）およびランクインジケータ（ＲＩ）のうちの１つまたは複数を送信する４１４。基地局１０２は、この情報を使用して、高移動性の無線通信デバイス１１２ａとの通信を制御または改善することができる。
【００８７】
図５は、追加特有基準信号のないサブフレーム５０７の一例を図示する図である。一般に、サブフレームは基地局と無線通信デバイスの間の情報を通信するために使用されうる。サブフレームは、情報を通信するために使用される通信リソースを表す多数の周波数および時間期間を備える。例えば、図５において、縦軸（周波数）５０９は、周波数またはトーンの数を図示し、横軸（時間）５１１は、時間期間の数を図示する。周波数と時間の各ブロックはリソースエレメント（ＲＥ）と呼ばれうる。図５で図示されたサブフレーム５０７は、３ＧＰ仕様にしたがったサブフレーム５０７の一例でありうる。
【００８８】
図５で図示された構成では、サブフレーム５０７は、周波数軸５０９に沿って１２の周波数またはトーン（例えばトーンインデクスで番号付けされる）、時間軸５１１に沿って１４の時間期間を含む。すなわち、１６８のＲＥが図示される。多数のＲＥがＣＲＳ５１３について使用または割り付けられ、多数のＲＥがベースライン特有基準信号（例、ベースラインＵＥ−ＲＳ）５１５について使用または割り付けられる。例えば、ＲＥは、（下から）第１番目、第４番目、第７番目、および第１０番目のトーンの各々に対し、（左から）第１番目、第２番目、第５番目、第８番目、第９番目、および第１２番目の時間期間において、ＲＳ５１３によって占められうる。ＣＲＳ５１３は、いずれのユーザ機器（ＵＥ）２１２によっても使用されうる。しかしながら、特有基準信号は、特に１つまたは複数の特定のＵＥのために意図されうる、または、特に１つまたは複数の具体的なＵＥに割り当てられうる。図５では、ベースライン特有基準信号５１５は、第２番目、第７番目および第１２番目のトーンの各々に対し、第６番目、第７番目、第１３番目、および第１４番目の時間期間を占める。用語「ベースライン」特有基準信号は、ここで開示されるシステムおよび方法が使用されない場合、特定ＵＥについて使用される特有基準信号を表すために使用される。例えば、ベースラインＵＥ−ＲＳ５１５は、ここに開示されるシステムおよび方法が使用されない場合、現在および／または以前の３ＧＰＰ仕様にしたがって使用される特定の基準信号でありうる。上記で説明されるように、高移動性ＵＥに対してベースラインＵＥ−ＲＳ５１５のみを使用することは、劣化した通信をもたらすことがある。これは、ＵＥが名目レート（例、歩行速度、一般的な運転速度等）でのみ移動しているという仮定に基づいてベースラインＵＥ−ＲＳ５１５が使用される場合があるためである。
【００８９】
図６は、追加特有基準信号を有するサブフレーム６０７を図示する図である。この例では、サブフレーム６０７は、周波数軸６０９に沿って１２の周波数またはトーン、時間軸６１１に沿って１４の時間期間を有する、その結果、１６８のＲＥをもたらし、図５で図示される例と同様である。図５で図示される例と同様に、図６で図示されるサブフレーム６０７は、ＣＲＳ６１３専用の２４のＲＥとベースラインＵＥ−ＲＳ６１５専用の１２のＲＥを含む。しかしながら、図６で図示された例では、６つのＲＥは、追加特有基準信号（ＵＥ−ＲＳ）６１７専用である。これらは、第２番目、第７番目、第１２番目のトーンの各々に対して、第１０番目と第１１番目の時間期間で配置される。図６は、ＵＥが高移動性ＵＥ（例、例えば２５０ｋｍ／ｈｒより速い相対的に高い速度のレートで移動するＵＥ）である場合、基準シグナリングのために使用されうるサブフレーム６０７の一例を与える。図示されるように、追加ＵＥ−ＲＳ６１７は、サブフレーム６０７に配置され、その結果、ベースライン特有基準信号（ＵＥ−ＲＳ）のみが使用される、図５で図示されるサブフレーム５０７と比較して、特有基準信号６１５、６１７のより大きい時間密度を結果としてもたらす。追加ＵＥ−ＲＳを使用することは、（例えば、フィードバックのレートを増大させることによって）ノードＢと高移動性ＵＥとの間の改善された通信を可能にしうる。図６で一例が与えられているが、ＣＲＳ６１３の多くの他のパターン、ベースラインＵＥ−ＲＳ６１５および／または追加ＵＥ−ＲＳ６１７が使用されうる。
【００９０】
図７は、高移動性の無線通信デバイス１１２ａのための追加特有基準信号を割り付けるための方法７００の一構成を図示するフロー図である。図７で図示される方法７００は、高移動性の無線通信デバイス１１２ａ（例、ＵＥ２１２）についてのより高密度な基準信号パターンを提供することができる。例えば、追加ＵＥ−ＲＳポートは、改善されたＵＥ−ＲＳパターン（例、追加を伴うベースライン）が高移動性ＵＥ２１２をサポートするように実現され得るように、使用されうる。高移動性の無線通信デバイス１１２ａは、一般的に、より高いランク送信をサポートしない場合がある。例えば、高移動性ＵＥ２１２は、一般的にｒ＝１を有し、ｒは、（送信）ランクを表す。１つまたは複数の追加特有基準信号（例、ＵＥ−ＲＳ）は、下記のように、１つまたは複数のベースライン基準信号でパターンに追加されうる。
【００９１】
基地局１０２（例、ノードＢ２０２）は、ベースライン特有基準信号を使用することができる７０２。例えば、あるランクｒ送信の場合、同じリリース８、リリース９および／またはＬＴＥ−Ａ ＵＥ−ＲＳポート（「ベースラインＵＥ−ＲＳ」と表される）が適用される。基地局１０２は、基準信号パターンまたはサブフレームに、少なくとも１つの追加特有基準信号を追加することができる７０４。無線通信デバイス１１２は、追加特有基準信号ポート（例、追加ＵＥ−ＲＳ）もまた存在しているということを通知されるということに留意されるべきである。追加特有基準信号ポートは、ベースライン特有基準信号を含まないシンボルにおいて存在しうる（または追加されうる）。一構成では、１つまたは複数の追加特有基準信号（ポート）（例、追加ＵＥ−ＲＳ）は、ベースライン特有基準信号（１つまたは複数）（例、ベースラインＵＥ−ＲＳ）に（もともと）使用されたエレメント（１つまたは複数）（例、ＲＥ（１つまたは複数））に追加されうる。いくつかの構成では、追加基準信号ポートは、（例えばベースラインの場合では）共通基準信号にもともと使用されたリソースエレメント（ＲＥ）のうちのいくつかを使用しうる。ここで使用されるように、「ベースラインの場合」という表現は、現在および／または以前の３ＧＰＰ仕様による場合を指す。例えば、ベースラインの場合は、３ＧＰＰリリース−８、リリース−９および／またはＬＴＥ−Ａで定義されるように特定のＵＥ−ＲＳパターンを含めうる。
【００９２】
基地局１０２（例、ノードＢ２０２）は、スクランブリングを適用することができる７０６。一構成では、ベースライン特有基準信号の場合で適用される同じスクランブリングシーケンスとリソースエレメントマッピングメカニズムは、追加基準信号にも同様に適用されうる。例えば、ベースラインＵＥ−ＲＳパターンが、上述されるように、使用されうる７０２。追加ＵＥ−ＲＳパターンは、ベースラインＵＥ−ＲＳパターンと同じ生成のためのプロシージャを使用することができる。しかしながら、追加特有基準信号パターンは、同じスクランブリングシーケンスを必ずしも使用しないことがある。別の構成では、例えば、異なるスクランブリングシーケンスが使用されうる。
【００９３】
基地局１０２（例、ノードＢ２０２）は、サブフレームに、基準信号（例、ベースラインＵＥ−ＲＳおよび／または追加ＵＥ−ＲＳ）をマッピングすることができる７０８（または、マッピングを適用する）。このマッピングは、ベースライン特有基準信号の場合と同じマッピングでありうる。あるいは、それは異なるマッピングでありうる。一構成では、例えば、ＵＥ−ＲＳシーケンス・ツー・リソースエレメント（ＲＥ）マッピングは、最初に周波数、次に時間に従うことができる。別の構成では、ＵＥ−ＲＳ・ツー・ＲＥ間マッピングは、例えば、最初に時間、次に周波数に従うことができる。
【００９４】
追加特有基準信号パターンのまわりのデータ送信レートマッチングが使用されうる。例えば、ＰＤＳＣＨがＲＥにマッピングされる場合、ベースラインＵＥ−ＲＳポートおよび追加ＵＥ−ＲＳポートによって占められていないこれらのＲＥにのみマッピングされうる。あるいは、データ送信は、追加基準信号とロケーションにおいてパンクチャリングされうる（例えば３ＧＰＰリリース８におけるようなあるサブフレームにおける中央の６リソースブロック（ＲＢ）を占めるプライマリ同期信号（ＰＳＳ）およびセカンダリ同期信号（ＳＳＳ）でオーバラップされたＰＤＳＣＨを扱うことと同様である）。例えば、ＰＤＳＣＨは、ベースラインＵＥ−ＲＳポートのみによって占められないＲＥに最初にマッピングされうる、そして後にパンクチャリングされている追加ＵＥ−ＲＳ ＲＥと衝突しているＰＤＳＣＨ ＲＥが続く。異なる無線通信デバイス１１２（例えばＵＥ２１２）は、（例えば無線通信デバイス１１２の速度に依存して）同じ追加特有基準信号ポートあるいは異なる追加特有基準信号ポートを使用して通知されうる。
【００９５】
基地局１０２（例、ノードＢ２０２）は、基準信号（例、ベースラインＵＥ−ＲＳおよび／または追加ＵＥ−ＲＳ）をプレコードすることができる７１０。同じプレコーディングがベースライン特有基準信号に適用される追加特有基準信号に適用されうる。基地局１０２（例、ノードＢ２０２）は、（高移動性）無線通信デバイス１１２ａ（例、ＵＥ２１２）へ追加特有基準信号を送信することができる７１２。
【００９６】
図８は、高移動性の無線通信デバイスのための基準シグナリングのための方法８００のより具体的な構成を図示するフロー図である。ノードＢ２０２は高移動性ＵＥ２１２を識別することができる８０２。例えば、ノードＢ２０２は、高移動性ＵＥ２１２から高移動性のインジケータ（例、高移動性しきい値を満たすまたは超過する速度測定値、高移動性サービスリクエストまたは他の何らかのインジケータ等）を受信することによって高移動性ＵＥ２１２を識別することができる８０２。ノードＢ２０２が高移動性ＵＥ２１２を識別しない場合（例、それ２０２が通信している１つまたは複数のＵＥ１１２が高移動性でない）には、ノードＢ２０２は他のシグナリングを使用することができる８０４。例えば、ノードＢ２０２は、ＵＥ２１２について、ＣＲＳおよび／またはベースラインＵＥ−ＲＳを使用することができる。
【００９７】
ノードＢ２０２が高移動性ＵＥ２１２を識別する（例、高移動性のインジケータを受信する）場合、ノードＢ２０２は、高移動性ＵＥ２１２に対して基準信号構成を送信することができる８０６。例えば、ノードＢ２０２は、基準信号構成シグナリングブロック／モジュール２０８を使用してこの基準信号構成を生成し送信することができる８０６。このことは、例えば、層３制限されたランクシグナリング２２８、明示的な層３シグナリング２３０および／または（明示的または黙示的な）ＰＤＣＣＨシグナリング２３２を使用して行われうる。この基準信号構成は、（いずれのベースラインＵＥ−ＲＳのほかの）追加のものが使用されるか、それらのロケーション（例、時間および周波数におけるおよび／またはリソースエレメント（ＲＥ）による）を高移動性ＵＥ２１２に示すことができる。
【００９８】
ノードＢ２０２は、高移動性ＵＥ２１２のために追加ＵＥ−ＲＳを割り付けることができる８０８。例えば、ノードＢ２０２は、１つまたは複数の追加ＵＥ−ＲＳを生成し、それらの送信のために、通信リソース（例、時間および周波数リソース、ＲＥ等）を割り付ける。このことは、高移動性ＵＥブロック／モジュール２０６のための基準信号割り付けを使用して行われることができる。例えば、ノードＢ２０２は、図６で図示されるように、６つの追加ＵＥ−ＲＳの送信のために、６つの追加ＲＥを割り付ける。一構成では、追加ＵＥ−ＲＳはＣＲＳまたはベースラインのＵＥ−ＲＳによって使用されないＲＥを使用して送信されうる。別の構成では、追加のＵＥ−ＲＳの１つまたは複数はＣＲＳにもともと割り付けられたＲＥを使用して送信されうる。別の構成では、追加のＵＥ−ＲＳの１つまたは複数はベースラインのＵＥ−ＲＳにもともと割り付けられたＲＥを使用して送信されうる。さらに別の構成では、追加のＵＥ−ＲＳの１つまたは複数はＣＲＳおよびベースラインのＵＥ−ＲＳにもともと割り付けられたＲＥを使用して送信されうる。追加ＵＥ−ＲＳを割り付けることは、基準信号の時間密度を増大させることができ、より頻繁なフィードバックを可能にし、したがって、ノードＢ２０２と高移動性ＵＥ２１２との間の改善された通信を可能にする。
【００９９】
ノードＢ２０２は、高移動性ＵＥ２１２へ１つまたは複数の追加ＵＥ−ＲＳを送信することができる８１０。例えば、ノードＢ２０２は、１つまたは複数の送信機２６４と１つまたは複数のアンテナ２１０ａ−ｎを使用して、追加ＵＥ−ＲＳを送信することができる。
【０１００】
図９は、高移動性の無線通信デバイスのための基準シグナリングを使用するための方法９００の一構成を図示するフロー図である。ＵＥ２１２（例、無線通信デバイス）は、それが高移動性ＵＥ２１２である（例、として分類されることができる）か、を決定しうる９０２。一構成では、ＵＥ２１２は、この決定９０２を行うためにモビリティ検出器２１６を使用する。例えば、モビリティ検出器２１６は、時間とともに、加速度計２７８および／または全地球測位システム（ＧＰＳ）２８０のロケーションを使用して、その動き（例、速度）を決定または推定することができる。例えば、検出された速度がしきい値レート（例、２５０ｋｍ／ｈ）未満である場合、ＵＥ２１２は、それが高移動性ＵＥ２１２ではないということを決定する９０２。しかしながら、検出された速度がしきい値レート（例、２５０ｋｍ／ｈ）以上である場合には、ＵＥ２１２は、それが高移動性ＵＥ２１２である（または、として分類される）ということを決定する。
【０１０１】
それが高移動性ではないということをＵＥ２１２が決定する９０２場合には、それ２１２は、他のシグナリングを使用する９０４。例えば、ＵＥ２１２は、フィードバックを生成するためにＣＲＳおよび／またはベースラインＵＥ−ＲＳを受信し使用する。この場合、追加ＵＥ−ＲＳは受信または使用されない。
【０１０２】
それが高移動性であるということをＵＥ２１２が決定する９０２場合、それ２１２は、ノードＢ２０２へ高移動性のインジケータを送信することができる９０６。例えば、高移動性ＵＥ２１２は、速度測定値、高移動性サービスリクエスト、または他の何らかの高移動性のインジケータを生成し、ノードＢ２０２へ送信する９０６。この高移動性のインジケータは、ＵＥ２１２が高移動性である（例、相対的に「高い」速度のレートで移動する）ということをノードＢ２０２に通知する。したがって、ＵＥ２１２は、高移動性ＵＥ２１２として識別されうる。
【０１０３】
（高移動性）ＵＥ２１２は、ノードＢ２０２から基準信号構成を受信する９０８。例えば、高移動性ＵＥ２１２は、基準信号構成を受信し９０８、解釈する。一構成では、このことは、基準信号構成解釈ブロック／モジュール２２０を使用して達成される。例えば、高移動性ＵＥ２１２は、層３制限されたランクシグナリング解釈２９４、明示的な層３シグナリング解釈２９６、および／またはＰＤＣＣＨシグナリング解釈２９８を使用して、基準信号構成を受信し９０８、解釈することができる。一構成では、ノードＢ２０２が３つの前述の種類のシグナリングのうち１つまたは複数を選択する場合、高移動性ＵＥ２１２はまた、どの種類のシグナリングが基準信号構成に使用されるかを示す（明示的または黙示的な）インジケータを受信する。基準信号構成は、１つまたは複数の追加ＵＥ−ＲＳが使用されるか、また、それらのロケーション（時間および周波数における、ＲＥによる等）を示すことができる。
【０１０４】
高移動性ＵＥ２１２は、追加ＵＥ−ＲＳを受信することができる９１０。例えば、１つまたは複数の追加ＵＥ−ＲＳが受信される９１０。追加ＵＥ−ＲＳは、基準信号構成にしたがって受信されることができる。より具体的には、基準信号構成は、追加ＵＥ−ＲＳを送信（および受信）するためにどの通信リソースが使用されるかを示す。
【０１０５】
高移動性ＵＥ２１２は、追加ＵＥ−ＲＳを処理することができる９１２。このことは基準信号構成に基づいて行われうる。例えば、基準信号構成によって指定される通信リソースに対応する１つまたは複数の追加ＵＥ−ＲＳは、高移動性ＵＥ２１２によって処理される。追加ＵＥ−ＲＳを処理すること９１２は、追加特有基準信号（１つまたは複数）に基づいてフィードバックを生成することを備えることができる。一構成では、このことは、追加基準信号処理ブロック／モジュール２１８を使用して行われる。例えば、高移動性ＵＥ２１２は、追加ＵＥ−ＲＳを使用して、チャネル品質インジケータ（ＣＱＩ）、プレコーディングマトリクスインジケータ（ＰＭＩ）およびランクインジケータのうちの１つまたは複数を生成する。
【０１０６】
高移動性ＵＥ２１２は、追加ＵＥ−ＲＳに基づいてノードＢ２０２へ情報を送信することができる９１４。一構成では、高移動性ＵＥ２１２は、追加ＵＥ−ＲＳに基づいて生成された、チャネル品質インジケータ（ＣＱＩ）、プレコーディングマトリクスインジケータ（ＰＭＩ）およびランクインジケータのうちの１つまたは複数を送信する。ノードＢ２０２は、この情報を使用して、高移動性ＵＥ２１２との通信を制御または改善することができる。
【０１０７】
図１０はサブフレーム１００７の別の例を図示する図である。より具体的には、図１０は、非単一周波数ネットワーク上のマルチメディアブロードキャスト（非ＭＢＳＦＮ）サブフレーム１００７における追加ＵＥ−ＲＳのための基準信号構成を示すために使用されたシグナリングの一例を図示する。一般的には、サブフレームは、情報を通信するために使用される通信リソースを表す多数の周波数および時間期間を備える。例えば、図１０において、縦軸（周波数）１００９は、周波数またはトーンの数を図示し、横軸（時間）１０１１は、時間期間の数を図示する。周波数と時間の各ブロックはリソースエレメント（ＲＥ）と呼ばれうる。
【０１０８】
図１０で図示された構成では、（非ＭＢＳＦＮ）サブフレーム１００７は、周波数軸１００９に沿って１２の周波数またはトーン（例えばトーンインデクスで番号付けされる）、時間軸１０１１に沿って１４の時間期間を含む。すなわち、１６８のＲＥが図示される。多数のＵＥがＣＲＳ１０１３について使用または割り付けられ、多数のＲＥがベースラインＵＥ−ＲＳ１０１５について使用または割り付けられる（図５で図示される例と同様である）。ＣＲＳ１０１３は、ノードＢ２０２によってサービス提供されるユーザ機器（ＵＥ）によって使用されうる。しかしながら、ＵＥ−ＲＳ１０１５および１０１７は、１つまたは複数の特定ＵＥについて特に意図されうる、または、１つまたは複数の特定ＵＥに対して特に割り付けられうる。用語「ベースライン」ＵＥ−ＲＳは、ここで開示されるシステムおよび方法が使用されない場合、特定ＵＥについて使用される特有基準信号を表すために使用される。例えば、ベースラインＵＥ−ＲＳ１０１５は、ここで開示されるシステムおよび方法が使用されない場合、現在および／または以前の３ＧＰＰ仕様にしたがって使用される特定の基準信号でありうる。上記で説明されるように、高移動性ＵＥについてベースラインＵＥ−ＲＳ１０１５のみを使用することは、劣化した通信をもたらすことがある。これは、ＵＥが名目レート（例、歩行速度、一般的な運転速度等）でのみ移動しているという仮定に基づいてベースラインＵＥ−ＲＳ１０１５が使用されるためである。
【０１０９】
しかしながら、図１０で図示される例では、追加ＵＥ−ＲＳ１０１７は、非単一周波数ネットワーク上のマルチメディアブロードキャストサブフレーム（非ＭＢＳＦＮ）１００７で使用される。基準信号構成（インジケータ）１０ １０１９と０１ １０２１もこの例において図示される。例えば、２ビットインジケータ１０ １０１９は、追加ＵＥ−ＲＳである６つのＵＥが１サブフレームで使用されるということを示すことができる。したがって、追加ＵＥ−ＲＳ１０１７は、（下から）２番目、７番目、そして１２番目のトーンについての、（左から）４番目と１０番目の時間期間またはシンボルを占める。周波数軸１００９に対応するトーンインデクスはいくつかの構成では０ベースでありうるということに留意されるべきである。したがって、追加ＵＥ−ＲＳは、例えば、インデクス１、６、および１１のトーンに配置されうる。
【０１１０】
追加的にまたは代替的に、２ビットインジケータ０１ １０２１は、（時間１０１１において）追加ＵＥ−ＲＳである３つのＲＥが１サブフレームで使用されるということを示すことができる。したがって、このインジケータ１０２１は、追加ＵＥ−ＲＳである３つのＲＥが（例えばインデクス１、６および１１において）２番目、７番目、および１２番目のトーンについての１０番目の時間期間またはシンボルにおいて使用されるということを示すことができる。
【０１１１】
図１０で例として図示されるインジケータ１０１９、１０２１は、ここで開示されるシステムおよび方法にしたがって明示的または黙示的にシグナリングされうる。例えば、２ビットインジケータ１０１９、１０２１は、明示的な層３シグナリングまたは明示的なＰＤＣＣＨシグナリングを使用して、明示的にシグナリングされうる。あるいは、２ビットインジケータ１０１９、１０２１は、例えば、黙示的なＰＤＣＣＨシグナリングを使用して黙示的にシグナリングされうる。例えば、Ｓ−Ｒ＝１である場合、このことは、０１インジケータ１０２１、すなわち追加ＵＥ−ＲＳである３つのＲＥが使用されるということを意味することがある。さらに、Ｓ−Ｒ≧２である場合、このことは、１０インジケータ１０１９、すなわち追加ＵＥ−ＲＳである６つのＲＥが使用されるということを意味することがある。
【０１１２】
図１１はサブフレーム１１０７の別の例を図示する図である。より具体的には、図１１は、単一周波数ネットワーク上のマルチメディアブロードキャスト（ＭＢＳＦＮ）サブフレーム１１０７における追加ＵＥ−ＲＳのための基準信号構成を示すために使用されたシグナリングの一例を図示する。図１１において、縦軸（周波数）１１０９は、周波数またはトーンの数を図示し、横軸（時間）１１１１は、時間期間の数を図示する。周波数と時間の各ブロックはリソースエレメント（ＲＥ）と呼ばれうる。
【０１１３】
図１１で図示された構成では、（ＭＢＳＦＮ）サブフレーム１１０７は、周波数軸１１０９に沿って１２の周波数またはトーン（例えばトーンインデクスで番号付けされる）、時間軸１１１１に沿って１４の時間期間を含む。すなわち、１６８のＲＥが図示される。ＲＥの数（例えば第１番目、第４番目、第７番目、および第１０番目のトーンの各々について最初の２時間期間では、８個）がＣＲＳ１１１３に対して使用または割り付けられる、ＲＥの数（例、１２個）が（図１０で図示された例と同様に）ベースラインＵＥ−ＲＳ１１１５に対して使用または割り付けられる。ＣＲＳ１１１３は、ノードＢ２０２によってサービス提供されるユーザ機器（ＵＥ）２１２によって使用されうる。しかしながら、ＵＥ−ＲＳ１１１５および１１１７は、１つまたは複数の特定ＵＥについて特に意図されうる、または、１つまたは複数の特定ＵＥに対して特に割り付けられうる。例えば、ベースラインＵＥ−ＲＳ１１１５は、ここで開示されるシステムおよび方法が使用されない場合現在のおよび／または以前の３ＧＰＰ仕様にしたがって使用される特有基準信号でありうる。
【０１１４】
図１１で図示される例では、追加ＵＥ−ＲＳ１１１７は、単一周波数ネットワーク上のマルチメディアブロードキャストサブフレーム（ＭＢＳＦＮ）１１０７で使用される。基準信号構成（インジケータ）１０ １１１９と０１ １１２１もこの例において図示される。例えば、２ビットインジケータ１０ １１１９は、追加ＵＥ−ＲＳ１１１７である６つのＲＥが使用されるということを示すことができる。したがって、追加ＵＥ−ＲＳ１１１７は、（下から）２番目、７番目、そして１２番目のトーンに対する（左から）４番目と１０番目の時間期間を占める。周波数軸１１０９に対応するトーンインデクスはいくつかの構成では０ベースでありうるということに留意されるべきである。したがって、追加ＵＥ−ＲＳは、例えば、インデクス１、６、および１１のトーンに配置されうる。
【０１１５】
追加的にまたは代替的には、２ビットインジケータ０１ １１２１は、追加ＵＥ−ＲＳ１１１７である３つのＲＥが１サブフレームで使用されるということを示しうる。したがって、このインジケータ１１２１は、追加ＵＥ−ＲＳ１１１７が（例えばインデクス１、６および１１において）２番目、７番目、および１２番目のトーンに対する１０番目の時間期間において使用されるということを示すことができる。
【０１１６】
図１１で例として図示されるインジケータ１１１９、１１２１は、ここで開示されるシステムおよび方法にしたがって明示的または黙示的にシグナリングされうる。例えば、２ビットインジケータ１１１９、１１２１は、明示的な層３シグナリングまたは明示的なＰＤＣＣＨシグナリングを使用して、明示的にシグナリングされうる。あるいは、２ビットインジケータ１１１９、１１２１は、例えば、黙示的なＰＤＣＣＨシグナリングを使用して黙示的にシグナリングされうる。例えば、Ｓ−Ｒ＝１である場合、このことは、０１インジケータ１１２１、すなわち追加ＵＥ−ＲＳである３つのＲＥが使用されるということを意味することがある。さらに、Ｓ−Ｒ≧２である場合、このことは、１０インジケータ１１１９、すなわち追加ＵＥ−ＲＳである６つのＲＥが使用されるということを意味することがある。
【０１１７】
いくつかの構成では、シグナリングはまた、非単一周波数ネットワーク上のマルチメディアブロードキャスト（ＭＢＳＦＮ）サブフレームと単一周波数ネットワーク上のマルチメディアブロードキャスト（ＭＢＳＦＮ）サブフレームとの間で区別するために使用されうる。例えば、シグナリングは、図１０で図示されるサブフレーム１００７と図１１で図示されるサブフレーム１１０７との間で区別するために使用されうる。例えば、２ビットインジケータ００は、ＭＢＳＦＮサブフレームの場合、追加ＵＥ−ＲＳは使用されず、非ＭＢＳＦＮサブフレームの場合、追加ＵＥ−ＲＳは使用されないが、ＣＲＳがＵＥについての追加基準信号のために使用される、ということを示すことができる。
【０１１８】
図１２は、多入力多出力（ＭＩＭＯ）のシステム１２００における送信機１２３１と受信機１２５３のブロック図である。送信機システム１２３１では、多数のデータストリームについてのトラヒックデータがデータソース１２２３から送信（ＴＸ）データプロセッサ１２２５へ供給される。各データストリームは、それぞれの送信アンテナ１２３９ａ−ｔにわたって送信されうる。送信（ＴＸ）データプロセッサ１２５５は、そのデータストリームについて選択された特定の符号化スキームに基づいて、各データストリームについてのトラヒックデータをフォーマット化し、符号化し、そしてインタリーブして、符号化されたデータを供給することができる。
【０１１９】
各データストリームについての符号化されたデータは、直交周波数多重化（ＯＦＤＭ）技術を使用して、パイロットデータ（例、基準信号）と多重化されうる。パイロットデータは、既知の方法で処理される既知データパターンでありうる、また、受信機１２５３で使用され、チャネル応答を推定することができる。各データストリームについての多重化されたパイロットと符号化データは、変調シンボルを供給するために、そのデータストリームについて選択される特定の変調スキーム（例、２相シフトキーイング（ＢＰＳＫ）、４相シフトキーイング（ＱＰＳＫ）、マルチ位相シフトキーイング（Ｍ−ＰＳＫ）、マルチレベルの直角位相振幅変調（Ｍ−ＱＡＭ））に基づいて変調される（すなわち、シンボルマッピングされる）。各データストリームについてのデータレート、符号化および変調は、プロセッサによって実行される命令によって決定されうる。
【０１２０】
すべてのデータストリームについての変調シンボルは送信（ＴＸ）多入力多出力（ＭＩＭＯ）プロセッサ１２３３に供給されることができ、そしてそれは、変調シンボル（例、ＯＦＤＭ用）をさらに処理することができる。送信（ＴＸ）多入力多出力（ＭＩＭＯ）プロセッサ１２３３は、ＮＴ送信機（ＴＭＴＲ）１２４１ａ〜１２４１ｔへＮＴ変調シンボルストリームを供給する。ＴＸ送信（ＴＸ）多入力多出力（ＭＩＭＯ）プロセッサ１２３３は、データストリームのシンボルに対して、また、シンボルが送信されているアンテナ１２３９に対して、ビームフォーミング重みを適用しうる。
【０１２１】
各送信機１２４１は、それぞれのシンボルストリームを受信し処理して１以上のアナログ信号を供給し、アナログ信号をさらに調整して（例、増幅し、フィルタにかけ、そしてアップコンバートして）、ＭＩＭＯチャネル上の送信に適した変調信号を供給する。送信機１２４１ａ〜１２４１ｔのＮＴ変調信号は、その後で、それぞれ、ＮＴアンテナ１２３９ａ〜１２３９ｔから送信される。
【０１２２】
受信機システム１２５３で、送信された変調信号は、ＮＲアンテナ１２４３ａ〜１２４３ｒによって受信され、各アンテナ１２４３からの受信信号は、それぞれの受信機（ＲＣＶＲ）１２４５ａ〜１２４５ｒへ供給される。各受信機１２４５は、それぞれの受信された信号を調整し（例、フィルタし、増幅し、ダウンコンバートし）、調整された信号をデジタル化してサンプルを供給し、そのサンプルをさらに処理して、対応する「受信された」シンボルストリームを供給することができる。
【０１２３】
ＲＸデータプロセッサ１２４７は、特定の受信機処理技術に基づいて、ＮＲ受信機１２４５からＮＲ受信シンボルストリームを受信し処理して、ＮＴ「検出」シンボルストリームを供給する。ＲＸデータプロセッサ１２４７は、各検出されたシンボルストリームを復調し、デインタリーブし、復号して、データストリームのためのトラヒックデータを復元する。ＲＸデータプロセッサ１２４７による処理は、送信機システム１２３１において、ＴＸ ＭＩＭＯプロセッサ１２３３とＴＸデータプロセッサ１２２５によって実行されるものの補足でありうる。
【０１２４】
プロセッサ１２５５は、どのプレコーディングマトリックスを使用するか周期的に決定しうる。プロセッサ１２５５は、メモリ１２４９上で情報を格納し、メモリ１２４９から情報を取り出すことができる。プロセッサ１２５５は、マトリックスインデクス部分とランク値部分とを備える逆方向リンクメッセージを公式化する。逆方向リンクメッセージは、チャネル状態情報（ＣＳＩ）と呼ばれうる。逆方向リンクメッセージは、通信リンクおよび／または受信データストリームに関する様々なタイプの情報を備えうる。逆方向リンクメッセージは、データソース１２５９から多数のデータストリームについてのトラヒックデータも受信するＴＸデータプロセッサ１２５７によって処理され、変調器１２５１によって変調され、送信機１２４５ａ〜１２４５ｒによって調整され、そして、送信機システム１２３１に戻って送信される。
【０１２５】
基地局１２３１では、受信機からの変調信号は、アンテナ１２３９によって受信され、受信機１２４１によって調整され、復調器１２３７によって復調され、ＲＸデータプロセッサ１２２９によって処理されて、受信機システム１２５３によって送信される逆方向リンクメッセージを抽出する。プロセッサ１２２７は、ＲＸデータプロセッサ１２２９からチャネル状態情報（ＣＳＩ）を受信することができる。プロセッサ１２２７は、メモリ１２３５上で情報を格納し、メモリ１２３５から情報を取り出すことができる。プロセッサ１２２７は、ビームフォーミング重み付けを決定するためにどのプレコーディングマトリクスを使用するかを決定し、抽出されたメッセージを処理する。上記で説明される基地局１０２およびノードＢ２０２は、図１２で図示される送信機１２３１と同様に構成されうる。上記で説明される、１つまたは複数の無線通信デバイス１１２と、１つまたは複数のＵＥ２１２は、図１２で図示される受信機１２５３と同様に構成されうる。
【０１２６】
図１３は、基地局１３０２内に含まれうる、あるコンポーネントを図示する。以前に説明された基地局１０２とノードＢ２０２は、図１３で図示される基地局１３０２と同様に構成されうる。基地局１３０２はプロセッサ１３６７を含む。プロセッサ１３６７は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等でありうる。プロセッサ１３６７は、中央処理装置（ＣＰＵ）と呼ばれうる。図１３の基地局１３０２では１つのプロセッサ１１０３のみが図示されているが、別の構成では、プロセッサの組み合わせ（例、ＡＲＭおよびＤＳＰ）も使用されることができる。
【０１２７】
基地局１３０２はまた、プロセッサ１３６７と電子通信しているメモリ１３６１を含める（すなわち、プロセッサ１３６７は、メモリ１３６１から情報を読み出す、および／または、メモリ１３６１へ情報を書き込むことができる）。メモリ１３６１は、電子情報を格納することができるいずれの電子コンポーネントでありうる。メモリ１３６１は、ランダムアクセス記憶装置（ＲＡＭ）、読取専用メモリ（ＲＯＭ）、磁気ディスクストレージ媒体、光学ストレージ媒体、ＲＡＭのフラッシュメモリデバイス、プロセッサと含まれる内蔵メモリ、プログラマブル読取専用メモリ（ＰＲＯＭ）、消去可能プログラマブル読取専用ＰＲＯＭ（ＥＰＲＯＭ）、電子的消去可能ＰＲＯＭ（ＥＥＰＲＯＭ）、レジスタ等、であってもよく、それらの組み合わせも含む。
【０１２８】
データ１３６３ａおよび命令１３６５ａはメモリ１３６１において格納されうる。命令１３６５ａは、１つまたは複数のプログラム、ルーチン、サブルーチン、機能、プロシージャ等を含めうる。命令１３６５ａは、単一のコンピュータ可読ステートメントまたは多くのコンピュータ可読ステートメントを含めうる。命令１３６５ａは、プロセッサ１３６７によって実行可能でありうる。命令１３６５ａを実行することは、メモリ１３６１において格納されるデータ１３６３ａの使用を含めうる。図１３は、プロセッサ１３６７へロードされているいくつかの命令１３６５ｂとデータ１３６３ｂを図示する。
【０１２９】
基地局１３０２はまた、基地局１３０２と遠隔ロケーション（例、無線通信デバイスまたは他のデバイス）との間の信号の送信および受信を可能にする送信機１３６４と受信機１３６２を含めうる。送信機１３６４と受信機１３６２は、トランシーバ１３６０と総称して呼ばれうる。アンテナ１３１０は、トランシーバ１３６０に電子的に結合されうる。基地局１３０２はまた、複数の送信機、複数の受信機、複数のトランシーバおよび／または複数のアンテナを含めうる（図示されず）。
【０１３０】
基地局１３０２の様々なコンポーネントは、１つまたは複数のバスによって一緒に結合されることができ、そしてそれは、パワーバス、制御シグナルバス、ステータスシグナルバス、データバス等を含めうる。簡略のため、様々なバスは、図１３の中ではバスシステム１３６９と図示される。
【０１３１】
図１４は、無線通信デバイス１４１２内に含まれうるあるコンポーネントを図示する。上述の１つまたは複数の無線通信デバイス１１２と１つまたは複数のＵＥ２１２は、図１４で図示される無線通信デバイス１４１２と同様に構成されうる。無線通信デバイス１４１２はプロセッサ１４７７を含む。プロセッサ１４７７は、汎用のシングルチップまたはマルチチップのマイクロプロセッサ（例、ＡＲＭ）、専用マイクロプロセッサ（例、デジタルシグナルプロセッサ（ＤＳＰ））、マイクロコントローラ、プログラマブルゲートアレイ等でありうる。プロセッサ１４７７は、中央処理装置（ＣＰＵ）と呼ばれうる。図１４の無線通信デバイス１４１２では１つのプロセッサ１４７７のみが図示されているが、別の構成では、プロセッサの組み合わせ（例、ＡＲＭおよびＤＳＰ）が使用されることができる。
【０１３２】
無線通信デバイス１４１２はまた、プロセッサ１４７７と電子通信しているメモリ１４７１を含める（すなわち、プロセッサ１４７７は、メモリ１４７１から情報を読み出す、および／または、メモリ１４７１へ情報を書き込むことができる）。メモリ１４７１は、電子情報を格納することが出来るいずれの電子コンポーネントでありうる。メモリ１４７１は、ランダムアクセス記憶装置（ＲＡＭ）、読取専用メモリ（ＲＯＭ）、磁気ディスクストレージ媒体、光学ストレージ媒体、ＲＡＭのフラッシュメモリデバイス、プロセッサと含まれる内蔵メモリ、プログラマブル読取専用メモリ（ＰＲＯＭ）、消去可能プログラマブル読取専用ＰＲＯＭ（ＥＰＲＯＭ）、電子的消去可能ＰＲＯＭ（ＥＥＰＲＯＭ）、レジスタ等、であってもよく、それらの組み合わせも含む。
【０１３３】
データ１４７３ａおよび命令１４７５ａはメモリ１４７１に格納されうる。命令１４７５ａは、１つまたは複数のプログラム、ルーチン、サブルーチン、機能、プロシージャ等を含めうる。命令１４７５ａは、単一のコンピュータ可読ステートメントまたは多くのコンピュータ可読ステートメントを含めうる。命令１４７５ａは、上記で記載された方法を実装するプロセッサ１４７７によって実行可能である。命令１４７５ａを実行することは、メモリ１４７１において格納されるデータ１４７３ａの使用を含めうる。図１４は、プロセッサ１４７７へロードされているいくつかの命令１４７５ｂとデータ１４７３ｂを図示する。
【０１３４】
無線通信デバイス１４１２はまた、無線通信デバイス１４１２と遠隔ロケーション（例、基地局または他のデバイス）との間の信号の送信および受信を可能にする送信機１４７６と受信機１４７４とを含めうる。送信機１４７６と受信機１４７４は、トランシーバ１４７２と総称して呼ばれうる。アンテナ１４２２は、トランシーバ１４７２に電子的に結合されうる。無線通信デバイス１４１２はまた、複数の送信機、複数の受信機、複数のトランシーバ、および／または複数のアンテナを含めうる（図示されず）。
【０１３５】
無線通信デバイス１４１２の様々なコンポーネントは、１つまたは複数のバスによって一緒に結合されることができ、そしてそれは、パワーバス、制御シグナルバス、ステータスシグナルバス、データバス等を含めうる。簡略のため、様々なバスが図１４の中ではバスシステム１４７９と図示される。
【０１３６】
上記の説明では、参照番号が、様々な用語と関連して、しばしば使用されている。用語が参照番号と関連して使用される場合には、これは、図の１つまたは複数で図示される特定のエレメントを指すように意味することがある。用語が参照番号なしで使用される場合、これは、いずれの特定の図に限定することなく、一般的に用語を指すように意図することがある。
【０１３７】
用語「決定すること（determining）」は広範囲の動作を含んでいるので、「決定すること」は、計算すること、コンピュートすること、処理すること、導出すること、吟味すること（investigating）、ルックアップすること（looking up）（例、テーブル、データベース、または別のデータ構造でルックアップすること）、確かめること（ascertaining）、および同様なものを含めうる。また「決定すること」は、受信すること（例、情報を受信すること）、アクセスすること（例、メモリ内のデータにアクセスすること）、および同様なものを含めうる。また、「決定すること」は、解決すること（resolving）、選択すること（selecting）、選ぶこと（choosing）、確立すること（establishing）、および同様なものを含めうる。
【０１３８】
フレーズ「に基づいている」は、明示的に指定されないかぎり、「にのみ基づいている」を意味していない。言いかえれば、フレーズ「に基づいている」は、「にのみ基づいている」と「に少なくとも基づいている」の両方を説明する。
【０１３９】
ここで説明された機能は、プロセッサ可読またはコンピュータ可読媒体上で１つまたは複数の命令として格納されうる。用語「コンピュータ可読媒体」は、コンピュータまたはプロセッサによってアクセスされることができるいずれの利用可能な媒体を指す。例であって、限定ではないが、このようなコンピュータ可読媒体は、ＲＡＭ、ＲＯＭ、ＥＥＰＲＯＭ、フラッシュメモリ、ＣＤ−ＲＯＭあるいは他の光学ディスクストレージ、磁気ディスクストレージあるいは他の磁気ストレージデバイス、あるいは、命令あるいはデータ構造の形態で所望のプログラムコードを保存するために使用されることができる、また、コンピュータまたはプロセッサによってアクセスされることができる、任意の他の媒体も備えうる。ここで使用されるように、ディスク（disk）とディスク（disc）は、コンパクトディスク（ＣＤ）、レーザーディスク（登録商標）、光学ディスク、デジタル汎用ディスク（ＤＶＤ）、フロッピー（登録商標）ディスクおよびブルーレイディスクを含んでおり、「ディスク（disks）」は、大抵、データを磁気的に再生し、「ディスク（discs）」は、レーザーで光学的に再生する。コンピュータ可読媒体がタンジブルで非一時的でありうるということは留意されるべきである。用語「コンピュータプログラムプロダクト」は、コンピューティングデバイスまたはプロセッサによって、実行されうる、処理されうる、または、計算されうる、コードまたは命令（例、「プログラム」）と組み合わせるコンピューティングデバイスまたはプロセッサを指す。ここで使用されるように、用語「コード」は、コンピューティングデバイスまたはプロセッサによって実行可能である、ソフトウェア、命令、コードまたはデータを指す。
【０１４０】
ソフトウェアまたは命令はまた、送信媒体上で送信されうる。例えば、ソフトウェアがウェブサイト、サーバ、あるいは、同軸ケーブル、光ファイバーケーブル、ツイストペア（twisted pair）、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、送信媒体の定義に含まれる。
【０１４１】
ここで開示された方法は、記載された方法を達成するための１以上のステップまたは動作を備える。方法のステップおよび／または動作は、特許請求の範囲から逸脱することなく互いに置き換えられうる。言いかえれば、ステップまたは動作の具体的な順序は、記載されている方法の適切な動作に必要とされない限り、具体的なステップおよび／または動作の順序および／または使用は、特許請求の範囲から逸脱することなく修正されうる。
【０１４２】
本願請求項は、厳密な構成および上述されるコンポーネントに限定されていないということは理解されるべきである。様々な修正、変更、および変形は、特許請求の範囲から逸脱することなく、ここで記載されたシステム、方法および装置の、配置、動作および細部において行われうる。
以下に本願の出願当初の特許請求の範囲に記載された発明を付記する。
[Ｃ１]  高移動性の無線通信デバイスとの通信を可能にするための基地局であって、
プロセッサと、
前記プロセッサと電子通信しているメモリと、
前記メモリにおいて格納された命令と、
を備え、前記命令は、
高移動性の無線通信デバイスを識別することと、
基準信号構成を送信することと、
追加特有基準信号を割り付けることと、
前記高移動性の無線通信デバイスへ前記追加特有基準信号を送信することと、
が実行可能である、
基地局。
[Ｃ２]  追加特有基準信号を割り付けることは、
ベースライン特有基準信号を使用することと、
前記ベースライン特有基準信号を含んでいないエレメントにおいて追加特有基準信号を
追加することと、
を備えるＣ１に記載の基地局。
[Ｃ３]  追加特有基準信号を割り付けることは、共通の基準信号のために使用されるエレメント
において前記追加特有基準信号を追加することをさらに備える、Ｃ１に記載の基地局
。
[Ｃ４]  追加特有基準信号を割り付けることは、ベースライン特有基準信号のために使用される
エレメントにおいて前記追加特有基準信号を追加することをさらに備える、Ｃ１に記
載の基地局。
[Ｃ５]  追加特有基準信号を割り付けることは、ベースライン特有基準信号のために使用される
のと同じプレコーディングを前記追加特有基準信号に適用することを備える、Ｃ１に
記載の基地局。
[Ｃ６]  追加特有基準信号を割り付けることは、ベースライン特有基準信号の場合と同じスクラ
ンブリングシーケンスを適用することを備える、Ｃ１に記載の基地局。
[Ｃ７]  追加特有基準信号を割り付けることは、ベースライン特有基準信号の場合とは異なるス
クランブリングシーケンスを適用することを備える、Ｃ１に記載の基地局。
[Ｃ８]  追加特有基準信号を割り付けることは、ベースライン特有基準信号の場合と同じマッピ
ングメカニズムを適用することを備える、Ｃ１に記載の基地局。
[Ｃ９]  追加特有基準信号を割り付けることは、ベースライン特有基準信号の場合とは異なるマ
ッピングメカニズムを適用することを備える、Ｃ１に記載の基地局。
[Ｃ１０]  追加特有基準信号を割り付けることは、前記追加特有基準信号のまわりの送信レートマ
ッチングを適用することを備える、Ｃ１に記載の基地局。
[Ｃ１１]  追加特有基準信号を割り付けることは、パンクチャリングを適用することを備える、請
求項１に記載の基地局。
[Ｃ１２]  基準信号構成を送信することは、層３制限されたランク送信を使用して前記基準信号構
成を送信することを備える、Ｃ１に記載の基地局。
[Ｃ１３]  前記層３制限されたランク送信は、個別に構成される、または、コードブックサブセッ
ト制約メカニズムを使用する、Ｃ１２に記載の基地局。
[Ｃ１４]  基準信号構成を送信することは、明示的な層３シグナリングを使用して前記基準信号構
成を送信することを備える、Ｃ１に記載の基地局。
[Ｃ１５]  基準信号構成を送信することは、明示的な物理ダウンリンク制御チャネル（ＰＤＣＣＨ
）シグナリングを使用して前記基準信号構成を送信することを備える、Ｃ１に記載の
基地局。
[Ｃ１６]  基準信号構成を送信することは、黙示的な物理ダウンリンク制御チャネル（ＰＤＣＣＨ
）シグナリングを使用して前記基準信号構成を送信することを備える、Ｃ１に記載の
基地局。
[Ｃ１７]  前記基準信号構成は、単一周波数ネットワーク上のマルチメディアブロードキャスト（
ＭＢＳＦＮ）サブフレームと非ＭＢＳＦＮサブフレームとの間で区別する、Ｃ１に記
載の基地局。
[Ｃ１８]  前記基地局はノードＢである、Ｃ１に記載の基地局。
[Ｃ１９]  前記特有基準信号は、ユーザ機器特有基準信号（ＵＥ−ＲＳ）である、Ｃ１に記載
の基地局。
[Ｃ２０]  前記追加特有基準信号は、ベースライン特有基準信号の追加である、Ｃ１に記載の
基地局。
[Ｃ２１]  基準シグナリングを使用するための無線通信デバイスであって、
プロセッサと、
前記プロセッサと電子通信しているメモリと、
前記メモリにおいて格納された命令と、
を備え、前記命令は、
基準信号構成を受信することと、
追加特有基準信号を受信することと、
前記追加特有基準信号を処理することと、
前記追加特有基準信号に基づいて情報を送信することと、
が実行可能である、
無線通信デバイス。
[Ｃ２２]  前記命令はさらに、前記無線通信デバイスが高移動性の無線通信デバイスであるかを決
定することが実行可能である、Ｃ２１に記載の無線通信デバイス。
[Ｃ２３]  前記命令はさらに、前記無線通信デバイスが高移動性の無線通信デバイスである場合に
は、高移動性のインジケータを送信することが実行可能である、Ｃ２２に記載の無線
通信デバイス。
[Ｃ２４]  基準信号構成を受信することは、層３制限されたランク送信を使用して、前記基準信号
構成を受信することを備える、Ｃ２１に記載の無線通信デバイス。
[Ｃ２５]  前記層３制限されたランク送信は、個別に構成される、または、コードブックサブセッ
ト制約メカニズムを使用する、Ｃ２４に記載の無線通信デバイス。
[Ｃ２６]  基準信号構成を受信することは、明示的な層３シグナリングを使用して、前記基準信号
構成を受信することを備える、Ｃ２１に記載の無線通信デバイス。
[Ｃ２７]  基準信号構成を受信することは、明示的な物理ダウンリンク制御チャネル（ＰＤＣＣＨ
）シグナリングを使用して前記基準信号構成を受信することを備える、Ｃ２１に記載
の無線通信デバイス。
[Ｃ２８]  基準信号構成を受信することは、黙示的な物理ダウンリンク制御チャネル（ＰＤＣＣＨ
）シグナリングを使用して前記基準信号構成を受信することを備える、Ｃ２１に記載
の無線通信デバイス。
[Ｃ２９]  前記基準信号構成は、単一周波数ネットワーク上のマルチメディアブロードキャスト（
ＭＢＳＦＮ）サブフレームと非ＭＢＳＦＮサブフレームとの間で区別する、Ｃ２１に
記載の無線通信デバイス。
[Ｃ３０]  前記追加特有基準信号を処理することは、前記追加特有基準信号に基づいてフィードバ
ックを生成することを備える、Ｃ２１に記載の無線通信デバイス
[Ｃ３１]  前記無線通信デバイスはユーザ機器（ＵＥ）である、Ｃ２１に記載の無線通信デバ
イス。
[Ｃ３２]  前記特有基準信号は、ユーザ機器特有基準信号（ＵＥ−ＲＳ）である、Ｃ２１に記
載の無線通信デバイス。
[Ｃ３３]  前記追加特有基準信号は、ベースライン特有基準信号の追加である、Ｃ２１に記載
の無線通信デバイス。
[Ｃ３４]  高移動性の無線通信デバイスとの通信を可能にするための方法であって、
基地局によって、高移動性の無線通信デバイスを識別することと、
基準信号構成を送信することと、
前記基地局によって、追加特有基準信号を割り付けることと、
前記基地局から、前記高移動性の無線通信デバイスへ前記追加特有基準信号を送信する
ことと、
を備える方法。
[Ｃ３５]  追加特有基準信号を割り付けることは、
ベースライン特有基準信号を使用することと、
前記ベースライン特有基準信号を含んでいないエレメントにおいて追加特有基準信号を
追加することと、
を備えるＣ３４に記載の方法。
[Ｃ３６]  追加特有基準信号を割り付けることは、共通の基準信号のために使用されるエレメント
において前記追加特有基準信号を追加することをさらに備える、Ｃ３４に記載の方法
。
[Ｃ３７]  追加特有基準信号を割り付けることは、ベースライン特有基準信号のために使用される
エレメントにおいて前記追加特有基準信号を追加することをさらに備える、Ｃ３４に
記載の方法。
[Ｃ３８]  追加特有基準信号を割り付けることは、ベースライン特有基準信号のために使用される
のと同じプレコーディングを前記追加特有基準信号に適用することを備える、Ｃ３４
に記載の方法。
[Ｃ３９]  追加特有基準信号を割り付けることは、ベースライン特有基準信号の場合と同じスクラ
ンブリングシーケンスを適用することを備える、Ｃ３４に記載の方法。
[Ｃ４０]  追加特有基準信号を割り付けることは、ベースライン特有基準信号の場合とは異なるス
クランブリングシーケンスを適用することを備える、Ｃ３４に記載の方法。
[Ｃ４１]  追加特有基準信号を割り付けることは、ベースライン特有基準信号の場合と同じマッピ
ングメカニズムを適用することを備える、Ｃ３４に記載の方法。
[Ｃ４２]  追加特有基準信号を割り付けることは、ベースライン特有基準信号の場合とは異なるマ
ッピングメカニズムを適用することを備える、Ｃ３４に記載の方法。
[Ｃ４３]  追加特有基準信号を割り付けることは、前記追加特有基準信号のまわりの送信レートマ
ッチングを適用することを備える、Ｃ３４に記載の方法。
[Ｃ４４]  追加特有基準信号を割り付けることは、パンクチャリングを適用することを備える、請
求項３４に記載の方法。
[Ｃ４５]  基準信号構成を送信することは、層３制限されたランク送信を使用して前記基準信号構
成を送信することを備える、Ｃ３４に記載の方法。
[Ｃ４６]  前記層３制限されたランク送信は、個別に構成される、または、コードブックサブセッ
ト制約メカニズムを使用する、Ｃ４５に記載の方法。
[Ｃ４７]  基準信号構成を送信することは、明示的な層３シグナリングを使用して前記基準信号構
成を送信することを備える、Ｃ３４に記載の方法。
[Ｃ４８]  基準信号構成を送信することは、明示的な物理ダウンリンク制御チャネル（ＰＤＣＣＨ
）シグナリングを使用して前記基準信号構成を送信することを備える、Ｃ３４に記載
の方法。
[Ｃ４９]  基準信号構成を送信することは、黙示的な物理ダウンリンク制御チャネル（ＰＤＣＣＨ
）シグナリングを使用して前記基準信号構成を送信することを備える、Ｃ３４に記載
の方法。
[Ｃ５０]  前記基準信号構成は、単一周波数ネットワーク上のマルチメディアブロードキャスト（
ＭＢＳＦＮ）サブフレームと非ＭＢＳＦＮサブフレームとの間で区別する、Ｃ３４に
記載の方法。
[Ｃ５１]  前記基地局はノードＢである、Ｃ３４に記載の方法。
[Ｃ５２]  前記特有基準信号は、ユーザ機器特有基準信号（ＵＥ−ＲＳ）である、Ｃ３４に記
載の方法。
[Ｃ５３]  前記追加特有基準信号は、ベースライン特有基準信号の追加である、Ｃ３４に記載
の方法。
[Ｃ５４]  基準シグナリングを使用するための方法であって、
基準信号構成を受信することと、
無線通信デバイス上で、追加特有基準信号を受信すること、
前記無線通信デバイス上で、前記追加特有基準信号を処理することと、
前記追加特有基準信号に基づいて情報を送信することと、
を備える方法。
[Ｃ５５]  前記無線通信デバイスが高移動性の無線通信デバイスであるかを決定すること、をさら
に備えるＣ５４に記載の方法。
[Ｃ５６]  前記無線通信デバイスが高移動性の無線通信デバイスである場合、高移動性のインジケ
ータを送信すること、をさらに備えるＣ５４に記載の方法。
[Ｃ５７]  基準信号構成を受信することは、層３制限されたランク送信を使用して、前記基準信号
構成を受信することを備える、Ｃ５４に記載の方法。
[Ｃ５８]  前記層３制限されたランク送信は、個別に構成される、または、コードブックサブセッ
ト制約メカニズムを使用する、Ｃ５７に記載の方法。
[Ｃ５９]  基準信号構成を受信することは、明示的な層３シグナリングを使用して、前記基準信号
構成を受信することを備える、Ｃ５４に記載の方法。
[Ｃ６０]  基準信号構成を受信することは、明示的な物理ダウンリンク制御チャネル（ＰＤＣＣＨ
）シグナリングを使用して前記基準信号構成を受信することを備える、Ｃ５４に記載
の方法。
[Ｃ６１]  基準信号構成を受信することは、黙示的な物理ダウンリンク制御チャネル（ＰＤＣＣＨ
）シグナリングを使用して前記基準信号構成を受信することを備える、Ｃ５４に記載
の方法。
[Ｃ６２]  前記基準信号構成は、単一周波数ネットワーク上のマルチメディアブロードキャスト（
ＭＢＳＦＮ）サブフレームと非ＭＢＳＦＮサブフレームとの間で区別する、Ｃ５４に
記載の方法。
[Ｃ６３]  前記追加特有基準信号を処理することは、前記追加特有基準信号に基づいてフィードバ
ックを生成することを備える、Ｃ５４に記載の方法。
[Ｃ６４]  前記無線通信デバイスはユーザ機器（ＵＥ）である、Ｃ５４に記載の方法。
[Ｃ６５]  前記特有基準信号は、ユーザ機器特有基準信号（ＵＥ−ＲＳ）である、Ｃ５４に記
載の方法。
[Ｃ６６]  前記追加特有基準信号は、ベースライン特有基準信号の追加である、Ｃ５４に記載
の方法。
[Ｃ６７]  高移動性の無線通信デバイスとの通信を可能にするためのコンピュータプログラムプロ
ダクトであって、前記コンピュータプログラムプロダクトは、命令を有する非一時的なタ
ンジブルコンピュータ可読媒体を備え、前記命令は、
基地局に高移動性の無線通信デバイスを識別させるためのコードと、
前記基地局に基準信号構成を送信させるためのコードと、
前記基地局に追加特有基準信号を割り付けさせるためのコードと、
前記前記基地局に前記高移動性の無線通信デバイスへ前記追加特有基準信号を送信させ
るためのコードと、
を備える、
コンピュータプログラムプロダクト。
[Ｃ６８]  前記特有基準信号は、ユーザ機器特有基準信号（ＵＥ−ＲＳ）である、Ｃ６７に記
載のコンピュータプログラムプロダクト。
[Ｃ６９]  前記追加特有基準信号は、ベースライン特有基準信号の追加である、Ｃ６７に記載
のコンピュータプログラムプロダクト。
[Ｃ７０]  基準シグナリングを使用するためのコンピュータプログラムプロダクトであって、前記
コンピュータプログラムプロダクトは、命令を有する非一時的なタンジブルコンピュータ
可読媒体を備え、前記命令は、
無線通信デバイスに基準信号構成を受信させるためのコードと、
前記無線通信デバイスに追加特有基準信号を受信させるためのコードと、
前記無線通信デバイスに前記追加特有基準信号を処理させるためのコードと、
前記無線通信デバイスに前記追加特有基準信号に基づいて情報を送信させるためのコー
ドと、
を備える、
コンピュータプログラムプロダクト。
[Ｃ７１]  前記特有基準信号は、ユーザ機器特有基準信号（ＵＥ−ＲＳ）である、Ｃ７０に記
載のコンピュータプログラムプロダクト。
[Ｃ７２]  前記追加特有基準信号は、ベースライン特有基準信号の追加である、Ｃ７０に記載
のコンピュータプログラムプロダクト。
[Ｃ７３]  高移動性の無線通信デバイスとの通信を可能にするための装置であって、
高移動性の無線通信デバイスを識別するための手段と、
基準信号構成を送信するための手段と、
追加特有基準信号を割り付けるための手段と、
前記高移動性の無線通信デバイスへ前記追加特有基準信号を送信するための手段と、
を備える装置。
[Ｃ７４]  前記特有基準信号は、ユーザ機器特有基準信号（ＵＥ−ＲＳ）である、Ｃ７３に記
載の装置。
[Ｃ７５]  前記追加特有基準信号は、ベースライン特有基準信号の追加である、Ｃ７３に記載
の装置。
[Ｃ７６]  基準シグナリングを使用するための装置であって、
基準信号構成を受信するための手段と、
追加特有基準信号を受信するための手段と、
前記追加特有基準信号を処理するための手段と、
前記追加特有基準信号に基づいて情報を送信するための手段と、
を備える装置。
[Ｃ７７]  前記特有基準信号は、ユーザ機器特有基準信号（ＵＥ−ＲＳ）である、Ｃ７６に記
載の装置。
[Ｃ７８]  前記追加特有基準信号は、ベースライン特有基準信号の追加である、Ｃ７６に記載
の装置。
【図１】
0005989543.tif 000003
【図２】
0005989543.tif 000004
【図３】
0005989543.tif 000005
【図４】
0005989543.tif 000006
【図５】
0005989543.tif 000007
【図６】
0005989543.tif 000008
【図７】
0005989543.tif 000009
【図８】
0005989543.tif 000010
【図９】
0005989543.tif 000011
【図１０】
0005989543.tif 000012
【図１１】
0005989543.tif 000013
【図１２】
0005989543.tif 000014
【図１３】
0005989543.tif 000015
【図１４】
0005989543.tif 000016